(57)【要約】【課題】編集内容の全てが反映された画像と一部が未反映の画像とを混在して印刷することにより、利用者が満足するシールシートを提供することができるようにする。【解決手段】本技術を適用した写真作成ゲーム機は、利用者を被写体とした撮影を複数回行い、撮影を行うことによって得られた複数枚の撮影画像の編集をそれぞれの撮影画像を対象として行い、それぞれの撮影画像を元にして生成された、利用者の操作に応じた編集の内容が全て反映された編集画像である複数枚の第１の編集画像と、編集の内容の一部が未反映の編集画像である複数枚の第２の編集画像とを配置して印刷した印刷媒体を出力する。本技術は、撮影した画像をシール紙に印刷する一連のゲームを提供する写真作成ゲーム機に適用することができる。【選択図】図１６
2018125751.tif 000002
【特許請求の範囲】
【請求項１】
利用者を被写体とした撮影を複数回行う撮影部と、
撮影を行うことによって得られた複数枚の撮影画像の編集をそれぞれの前記撮影画像を対象として行い、複数枚の編集画像を生成する編集部と、
それぞれの前記撮影画像を元にして生成された、前記利用者の操作に応じた編集の内容が全て反映された前記編集画像である複数枚の第１の編集画像と、編集の内容の一部が未反映の前記編集画像である複数枚の第２の編集画像とを配置して印刷した印刷媒体を出力する出力部と
を備える写真作成ゲーム機。
【請求項２】
前記編集部は、前記利用者により選択された合成用画像を編集対象の前記撮影画像上の指定された位置に合成する落書き処理と他の処理を含む画像処理を前記撮影画像の編集として行い、
前記出力部は、前記落書き処理の内容が未反映であって、前記他の処理の内容が反映された前記第２の編集画像を配置する
請求項１に記載の写真作成ゲーム機。
【請求項３】
前記出力部は、前記第１の編集画像に合成されている前記合成用画像を削除した前記編集画像を前記第２の編集画像として配置する
請求項２に記載の写真作成ゲーム機。
【請求項４】
前記出力部は、前記第１の編集画像に合成されている前記合成用画像を他の合成用画像に変更した前記編集画像を前記第２の編集画像として配置する
請求項２に記載の写真作成ゲーム機。
【請求項５】
前記出力部は、前記第１の編集画像より小さい前記第２の編集画像を配置する
請求項１乃至４のいずれかに記載の写真作成ゲーム機。
【請求項６】
前記出力部は、矩形状の前記第２の編集画像、または、前記第１の編集画像と異なる形状の前記第２の編集画像を配置する
請求項１乃至５のいずれかに記載の写真作成ゲーム機。
【請求項７】
前記出力部は、複数枚の前記第１の編集画像を第１の領域に並べて配置し、複数枚の前記第２の編集画像を、前記第１の領域より狭い第２の領域に並べて配置する
請求項１乃至６のいずれかに記載の写真作成ゲーム機。
【請求項８】
前記出力部は、複数枚の前記第１の編集画像および前記第２の編集画像とともに、編集の対象として用いられた複数枚の前記撮影画像を配置して印刷した前記印刷媒体を出力する
請求項１乃至７のいずれかに記載の写真作成ゲーム機。
【請求項９】
利用者を被写体とした撮影を複数回行い、
撮影を行うことによって得られた複数枚の撮影画像の編集をそれぞれの前記撮影画像を対象として行い、複数枚の編集画像を生成し、
それぞれの前記撮影画像を元にして生成された、前記利用者の操作に応じた編集の内容が全て反映された前記編集画像である複数枚の第１の編集画像と、編集の内容の一部が未反映の前記編集画像である複数枚の第２の編集画像とを配置して印刷した印刷媒体を出力する
ステップを含む画像処理方法。
【請求項１０】
利用者を被写体とした撮影を複数回行う撮影部と、
撮影を行うことによって得られた複数枚の撮影画像の編集をそれぞれの前記撮影画像を対象として行い、複数枚の編集画像を生成する編集部と、
それぞれの前記撮影画像を元にして生成された、前記利用者の操作に応じた編集の内容が全て反映された複数枚の前記編集画像と、編集の対象として用いられた複数枚の前記撮影画像とを配置して印刷した印刷媒体を出力する出力部と
を備える写真作成ゲーム機。
【請求項１１】
前記出力部は、前記編集画像より小さい前記撮影画像を配置する
請求項１０に記載の写真作成ゲーム機。
【請求項１２】
前記出力部は、矩形状の前記撮影画像、または、前記編集画像と異なる形状の前記撮影画像を配置する
請求項１０または１１に記載の写真作成ゲーム機。
【請求項１３】
前記出力部は、複数枚の前記編集画像を第１の領域に並べて配置し、複数枚の前記撮影画像を、前記第１の領域より狭い第２の領域に並べて配置する
請求項１０乃至１２のいずれかに記載の写真作成ゲーム機。
【請求項１４】
利用者を被写体とした撮影を複数回行い、
撮影を行うことによって得られた複数枚の撮影画像の編集をそれぞれの前記撮影画像を対象として行い、複数枚の編集画像を生成し、
それぞれの前記撮影画像を元にして生成された、前記利用者の操作に応じた編集の内容が全て反映された複数枚の前記編集画像と、編集の対象として用いられた複数枚の前記撮影画像とを配置して印刷した印刷媒体を出力する
ステップを含む画像処理方法。
【請求項１５】
利用者を被写体とした撮影を複数回行う撮影部と、
撮影を行うことによって得られた複数枚の撮影画像の編集をそれぞれの前記撮影画像を対象として行い、複数枚の編集画像を生成する編集部と、
それぞれの前記撮影画像を元にして生成された、前記利用者の操作に応じた編集の内容の一部が未反映の前記編集画像である複数枚の編集画像と、編集の対象として用いられた複数枚の前記撮影画像とを配置して印刷した印刷媒体を出力する出力部と
を備える写真作成ゲーム機。
【発明の詳細な説明】
【技術分野】
【０００１】
本技術は、写真作成ゲーム機および画像処理方法に関し、特に、編集内容の全てが反映された画像と一部が未反映の画像とを混在して印刷することにより、利用者が満足するシールシートを提供することができるようにした写真作成ゲーム機および画像処理方法に関する。
【背景技術】
【０００２】
従来、写真シール作成装置が知られている。写真シール作成装置は、利用者を撮影し、撮影画像に対して利用者に編集を行わせ、編集後の画像をシール紙に印刷して提供するものである。写真シール作成装置は遊戯施設などに設置される。
【０００３】
写真シール作成装置が提供する１ゲームの流れは、通常、撮影空間内にいる利用者を被写体として撮影を行った後、利用者を編集空間に移動させ、編集空間内で行われる操作に従って画像を編集して、編集済みの画像をシール紙に印刷するものとなる。
【０００４】
このように、一般的な写真シール作成装置においては、編集済みの画像が印刷されたシール紙が利用者に提供される。
【先行技術文献】
【特許文献】
【０００５】
【特許文献１】特開２００８−２８３３６５号公報
【発明の概要】
【発明が解決しようとする課題】
【０００６】
編集がうまくいかなかった場合など、編集前の画像を印刷した方がシール紙全体の見栄えがよくなることもある。そこで、編集済みの画像を印刷するか、編集前の画像を印刷するかを印刷の開始前に利用者に選択させるようにすることも考えられるが、例えばうまく編集できなかった画像があるために編集前の状態で印刷することを選択した場合、その選択が全ての画像に適用されるときには、うまく編集できた画像についても、編集前の状態で印刷されてしまうことになる。
【０００７】
本技術はこのような状況に鑑みてなされたものであり、編集内容の全てが反映された画像と一部が未反映の画像とを混在して印刷することにより、利用者が満足するシール紙を提供することができるようにするものである。
【課題を解決するための手段】
【０００８】
本技術を適用した写真作成ゲーム機は、利用者を被写体とした撮影を複数回行う撮影部と、撮影を行うことによって得られた複数枚の撮影画像の編集をそれぞれの前記撮影画像を対象として行い、複数枚の編集画像を生成する編集部と、それぞれの前記撮影画像を元にして生成された、前記利用者の操作に応じた編集の内容が全て反映された前記編集画像である複数枚の第１の編集画像と、編集の内容の一部が未反映の前記編集画像である複数枚の第２の編集画像とを配置して印刷した印刷媒体を出力する出力部とを備える。
【０００９】
本技術を適用した他の写真作成ゲーム機は、利用者を被写体とした撮影を複数回行う撮影部と、撮影を行うことによって得られた複数枚の撮影画像の編集をそれぞれの前記撮影画像を対象として行い、複数枚の編集画像を生成する編集部と、それぞれの前記撮影画像を元にして生成された、前記利用者の操作に応じた編集の内容が全て反映された複数枚の前記編集画像と、編集の対象として用いられた複数枚の前記撮影画像とを配置して印刷した印刷媒体を出力する出力部とを備える。
【００１０】
本技術を適用した写真作成ゲーム機においては、利用者を被写体とした撮影が複数回行われ、撮影が行われることによって得られた複数枚の撮影画像の編集がそれぞれの前記撮影画像を対象として行われ、複数枚の編集画像が生成され、それぞれの前記撮影画像を元にして生成された、前記利用者の操作に応じた編集の内容が全て反映された前記編集画像である複数枚の第１の編集画像と、編集の内容の一部が未反映の前記編集画像である複数枚の第２の編集画像とを配置して印刷した印刷媒体が出力される。
【００１１】
本技術を適用した他の写真作成ゲーム機においては、利用者を被写体とした撮影が複数回行われ、撮影が行われることによって得られた複数枚の撮影画像の編集がそれぞれの前記撮影画像を対象として行われ、複数枚の編集画像が生成され、それぞれの前記撮影画像を元にして生成された、前記利用者の操作に応じた編集の内容が全て反映された複数枚の前記編集画像と、編集の対象として用いられた複数枚の前記撮影画像とを配置して印刷した印刷媒体が出力される。
【発明の効果】
【００１２】
本技術によれば、編集内容の全てが反映された画像と一部が未反映の画像とを混在して印刷することにより、利用者が満足するシールシートを提供することができる。
【図面の簡単な説明】
【００１３】
【図１】本技術の写真シール作成装置の外観の構成例を示す斜視図である。
【図２】写真シール作成装置の外観を他の角度からみた斜視図である。
【図３】利用者の移動について説明する図である。
【図４】事前選択部の構成例を示す図である。
【図５】撮影部の構成例を示す図である。
【図６】背景部の構成例を示す図である。
【図７】編集ユニットの正面の構成例を示す図である。
【図８】編集ユニットの側面の構成例を示す図である。
【図９】シールシートの例を示す図である。
【図１０】編集画像の生成の流れの例を示す図である。
【図１１】写真シール作成装置の構成例を示すブロック図である。
【図１２】写真シール作成装置の機能構成例を示すブロック図である。
【図１３】図１２の撮影処理部の構成例を示すブロック図である。
【図１４】アップ画像とコーディネート画像の生成の例を示す図である。
【図１５】図１２の編集処理部の構成例を示すブロック図である。
【図１６】シールシートに印刷された画像の例を示す図である。
【図１７】図１６の落書き反映画像とおまけ画像を並べて示す図である。
【図１８】おまけ画像に反映させる処理の例を示す図である。
【図１９】編集処理の反映と未反映について説明する図である。
【図２０】シールシートに印刷された画像の他の例を示す図である。
【図２１】写真シール作成ゲーム処理について説明するフローチャートである。
【図２２】図２１のステップＳ４において行われる編集関連処理について説明するフローチャートである。
【図２３】編集画面の例を示す図である。
【図２４】分割数選択画面の表示例を示す図である。
【図２５】１枚のシールシートの切り分けの例を示す図である。
【図２６】分割数選択画面の表示例を示す図である。
【図２７】２枚のシールシートの組み合わせの例を示す図である。
【図２８】２枚のシールシートの組み合わせの他の例を示す図である。
【図２９】シールシートに印刷された画像の他の例を示す図である。
【図３０】分割数選択画面の他の表示例を示す図である。
【図３１】メイン領域のデザインの例を示す図である。
【図３２】シールシートに印刷された画像の例を示す図である。
【図３３】シールシートに印刷された画像の例を示す図である。
【図３４】画像選択画面の例を示す図である。
【図３５】画像選択画面の例を示す図である。
【図３６】シールシートに印刷された画像の例を示す図である。
【図３７】シールシートに印刷された画像の例を示す図である。
【図３８】シールシートに印刷された画像の例を示す図である。
【図３９】シールシートに印刷された画像の例を示す図である。
【図４０】携帯端末の画面表示の例を示す図である。
【図４１】携帯端末の画面表示の例を示す図である。
【発明を実施するための形態】
【００１４】
＜＜実施例１＞＞
＜写真シール作成装置の外観＞
図１および図２は、写真シール作成装置１の外観の構成例を示す斜視図である。
【００１５】
写真シール作成装置１は、撮影画像や編集画像を提供するゲーム機である。写真シール作成装置１は、画像をシール紙に印刷したり、画像を利用者の携帯端末上で閲覧可能にしたりすることで、利用者に画像を提供する。写真シール作成装置１は、ゲームセンターなどのアミューズメント施設や店舗に設置される。
【００１６】
写真シール作成装置１の利用者は、主に女子高生や若い女性が中心とされる。写真シール作成装置１において、１組あたり主に２人や３人などの複数人の利用者がゲームを楽しむことができる。もちろん、写真シール作成装置１において、１人の利用者がゲームを楽しむこともできる。
【００１７】
写真シール作成装置１において、利用者は、自身が被写体となって撮影作業を行う。利用者は、編集作業により、撮影によって得られた撮影画像の中から選択した画像に、手書きの文字やスタンプ画像などの合成用画像を合成させる。これにより、撮影画像が彩り豊かな画像に編集される。利用者は、編集済みの画像である編集画像が印刷されたシールシートを受け取って一連のゲームを終了させる。
【００１８】
写真シール作成装置１は、写真作成ゲームを提供する写真作成ゲーム機ということができる。
【００１９】
図１に示すように、写真シール作成装置１は、基本的に、撮影ユニット１１と編集ユニット１２が接した状態で設置されることによって構成される。撮影ユニット１１と編集ユニット１２は電気的に接続される。
【００２０】
撮影ユニット１１は、人が中に入ることができる程度の大きさを有する箱形状の筐体を有し、事前選択部２０、撮影部２１、および背景部２２から構成される。事前選択部２０は、撮影部２１の側面に設置される。事前選択部２０の前方の空間が、事前選択処理が行われる事前選択空間となる。また、撮影部２１と背景部２２は所定の距離だけ離して設置される。撮影部２１と背景部２２の間に形成される空間が、撮影処理が行われる撮影空間となる。
【００２１】
事前選択部２０は、事前選択処理として、写真シール作成装置１によって提供されるゲームを紹介するガイダンスを行ったり、撮影空間で行われる撮影処理における各種の設定を行ったりする。事前選択部２０には、利用者が代金を投入する硬貨投入口や、各種の操作に用いられるタッチパネルモニタなどが設けられる。事前選択部２０は、撮影空間の空き状況に応じて、適宜、事前選択空間にいる利用者を撮影空間へと案内する。
【００２２】
撮影部２１は、利用者を被写体として撮影するための装置である。撮影部２１は、撮影空間に入った利用者の正面に位置する。撮影空間に臨む撮影部２１の正面には、カメラや、各種の操作に用いられるタッチパネルモニタなどが設けられる。
【００２３】
撮影空間において正面を向いている利用者からみて左側の面を左側面、右側の面を右側面とすると、撮影部２１の左側面が側面パネル４１Ａにより構成され、右側面が側面パネル４１Ｂにより構成される。さらに、撮影部２１の正面が正面パネル４２により構成される。側面パネル４１Ａには、上述した事前選択部２０が設置される。なお、事前選択部２０が、側面パネル４１Ｂに設置されるようにしてもよい。
【００２４】
背景部２２は、背面パネル５１、側面パネル５２Ａ、および側面パネル５２Ｂから構成される。背面パネル５１は、正面を向いている利用者の背面側に位置する板状の部材である。側面パネル５２Ａは、背面パネル５１の左端に取り付けられ、側面パネル４１Ａより横幅の狭い板状の部材である。側面パネル５２Ｂは、背面パネル５１の右端に取り付けられ、側面パネル４１Ｂより横幅の狭い板状の部材である。
【００２５】
側面パネル４１Ａと側面パネル５２Ａは、ほぼ同一平面に設けられる。側面パネル４１Ａと側面パネル５２Ａの上部は、板状の部材である連結部２３Ａによって連結される。側面パネル４１Ａと側面パネル５２Ａの下部は、床面に設けた例えば金属製の部材である連結部２３Ａ’によって連結される。側面パネル４１Ｂと側面パネル５２Ｂも同様に、ほぼ同一平面に設けられる。側面パネル４１Ｂと側面パネル５２Ｂの上部は、連結部２３Ｂによって連結される。側面パネル４１Ｂと側面パネル５２Ｂの下部は、連結部２３Ｂ’によって連結される。
【００２６】
撮影空間の床には、板状の部材である床材２７が敷かれる。
【００２７】
なお、背面パネル５１の撮影空間側の面には、例えば緑色のクロマキー用のシートが貼り付けられる。写真シール作成装置１は、クロマキー用のシートを背景として撮影することで、撮影処理や編集処理においてクロマキー合成を行う。これにより、所望の背景画像が利用者の背景の部分に合成される。
【００２８】
側面パネル４１Ａ、連結部２３Ａ、および側面パネル５２Ａに囲まれることによって形成される開口が撮影空間の出入り口となる。また、側面パネル４１Ｂ、連結部２３Ｂ、および側面パネル５２Ｂに囲まれることによって形成される開口も撮影空間の出入り口となる。
【００２９】
撮影空間の上方には、撮影部２１の正面、連結部２３Ａ、および連結部２３Ｂに囲まれた天井が形成される。その天井の一部に、天井ストロボユニット２４が設けられる。天井ストロボユニット２４の一端が連結部２３Ａに固定され、他端が連結部２３Ｂに固定される。
【００３０】
天井ストロボユニット２４は、撮影に合わせて撮影空間内に向けて光を照射するストロボを内蔵する。天井ストロボユニット２４の内部には、ストロボの他に蛍光灯が設けられている。これにより、天井ストロボユニット２４は、撮影空間の照明としても機能する。
【００３１】
編集ユニット１２は、撮影画像に編集を施すための装置である。編集ユニット１２は、一方の側面が撮影部２１の正面パネル４２に接するようにして、撮影ユニット１１に連結している。
【００３２】
図１に示される編集ユニット１２の構成を正面側の構成とすると、編集ユニット１２の正面側と背面側のそれぞれに、編集作業で用いられる構成が設けられる。この構成により、２組の利用者が同時に編集作業を行うことができる。
【００３３】
編集ユニット１２の正面側は、面６１と、面６１の上方に形成された斜面６２から構成される。面６１は、床面に対して垂直で、撮影部２１の側面パネル４１Ａとほぼ平行な面である。斜面６２には、編集作業に用いられる構成として、タブレット内蔵モニタやタッチペンが設けられる。斜面６２の左側には、照明装置６４の一端を支持する柱状の支持部６３Ａが設けられる。斜面６２の右側には、照明装置６４の他端を支持する柱状の支持部６３Ｂが設けられる。支持部６３Ａの上面にはカーテンレール２６を支持する支持部６５が設けられる。
【００３４】
編集ユニット１２の上方にはカーテンレール２６が取り付けられる。カーテンレール２６は、３本のレール２６Ａ乃至２６Ｃを、組み合わせて構成される。３本のレール２６Ａ乃至２６Ｃは、上から見たときの形状がコの字状となるように組み合わせられる。平行に設けられるレール２６Ａとレール２６Ｂの一端は、連結部２３Ａと連結部２３Ｂにそれぞれ固定され、レール２６Ａとレール２６Ｂの他端は、レール２６Ｃの両端にそれぞれ接合される。
【００３５】
カーテンレール２６には、編集ユニット１２の正面前方の空間と背面前方の空間が外から見えないようにカーテンが取り付けられる。そのカーテンにより囲まれる編集ユニット１２の正面前方の空間と背面後方の空間が、利用者が編集作業を行う編集空間となる。
【００３６】
後述するが、編集ユニット１２の左側面には、印刷済みのシールシートが排出される排出口が設けられる。編集ユニット１２の左側面前方の空間が、利用者が印刷済みのシールシートが排出されるのを待つ印刷待ち空間となる。
【００３７】
＜利用者の移動について＞
ここで、写真シール作成ゲームの流れと、それに伴う利用者の移動について説明する。
【００３８】
図３は、写真シール作成装置１を上から見た平面図である。
【００３９】
利用者は、事前選択部２０の前方の空間である事前選択空間Ａ０において硬貨投入口に代金を投入する。次に、利用者は、タッチパネルモニタに表示される画面に従って各種の設定を行う。利用者は、例えば、撮影空間で行われる撮影に関するコースの選択などを事前選択作業として行う。
【００４０】
事前選択作業を終えた利用者は、白抜き矢印＃１で示すように、側面パネル４１Ａと側面パネル５２Ａの間の出入り口Ｇ１から、撮影部２１と背景部２２の間に形成された撮影空間Ａ１に入る。利用者は、撮影部２１に設けられたカメラやタッチパネルモニタなど利用して撮影作業を行う。
【００４１】
撮影作業を終えた利用者は、白抜き矢印＃２で示すように出入り口Ｇ１から撮影空間Ａ１を出て編集空間Ａ２−１に移動するか、または、白抜き矢印＃３で示すように出入り口Ｇ２から撮影空間Ａ１を出て編集空間Ａ２−２に移動する。
【００４２】
編集空間Ａ２−１は、編集ユニット１２の正面側の編集空間である。一方、編集空間Ａ２−２は、編集ユニット１２の背面側の編集空間である。利用者が編集空間Ａ２−１と編集空間Ａ２−２のいずれの空間に移動するのかは、撮影部２１のタッチパネルモニタの画面表示などによって案内される。例えば２つの編集空間のうちの空いている方が移動先として案内される。編集空間Ａ２−１または編集空間Ａ２−２に移動した利用者は、編集作業を開始する。編集空間Ａ２−１の利用者と、編集空間Ａ２−２の利用者は同時に編集作業を行うことができる。
【００４３】
編集作業が終了した後、編集画像の印刷が開始される。印刷が開始されると、編集空間Ａ２−１での編集作業を終えた利用者は、白抜き矢印＃４で示すように編集空間Ａ２−１から印刷待ち空間Ａ３に移動する。また、編集空間Ａ２−２での編集作業を終えた利用者は、白抜き矢印＃５で示すように編集空間Ａ２−２から印刷待ち空間Ａ３に移動する。
【００４４】
印刷待ち空間Ａ３に移動した利用者は、印刷が終わるのを待つ。印刷が終了すると、利用者は、編集ユニット１２の右側面に設けられた排出口から排出されたシールシートを受け取り、一連の写真シール作成ゲームを終える。
【００４５】
次に、各装置の構成について説明する。
【００４６】
＜事前選択部の構成＞
図４は、事前選択部２０の構成例を示す図である。
【００４７】
事前選択部２０の上側にはタッチパネルモニタ７１が設けられる。タッチパネルモニタ７１は、LCD(Liquid Crystal Display)などのモニタと、それに積層されたタッチパネルにより構成される。タッチパネルモニタ７１は、各種のGUI(Graphical User Interface)を表示し、利用者の選択操作を受け付ける機能を備えている。タッチパネルモニタ７１には、利用者の人数の選択などに用いられる画面が表示される。
【００４８】
タッチパネルモニタ７１の下方には、スピーカ７２が設けられる。スピーカ７２は、事前選択処理の案内音声、BGM（Back Ground Music）、効果音などを出力する。スピーカ７２に隣接するようにして、利用者が硬貨を入れる硬貨投入返却口７３が設けられる。
【００４９】
＜撮影部の構成＞
図５は、撮影部２１の正面の構成例を示す図である。撮影部２１は、側面パネル４１Ａ、側面パネル４１Ｂ、および正面パネル４２に囲まれるようにして構成される。
【００５０】
正面パネル４２の中央よりやや上側には、カメラユニット８１が設けられる。カメラユニット８１の正面には、カメラ９１、タッチパネルモニタ９２、および正面ストロボ９３が設けられる。
【００５１】
カメラ９１は、例えば一眼レフカメラであり、レンズが露出するようにカメラユニット８１の内部に取り付けられる。カメラ９１は、CCD(Charge Coupled Device)イメージセンサやCMOS（Complementary Metal Oxide Semiconductor）イメージセンサなどの撮像素子を有し、撮影空間Ａ１にいる利用者を撮影する。カメラ９１は、利用者を被写体として撮影を行う撮影部として機能する。
【００５２】
カメラ９１により取り込まれた動画像（以下、ライブビュー画像ともいう）は、タッチパネルモニタ９２にリアルタイムで表示される。撮影が指示されたときなどの所定のタイミングでカメラ９１により取り込まれた静止画像は、撮影画像として保存される。
【００５３】
タッチパネルモニタ９２は、カメラ９１の下方に設けられる。タッチパネルモニタ９２は、LCDなどのモニタと、それに積層されたタッチパネルにより構成される。タッチパネルモニタ９２は、カメラ９１により取り込まれた動画像を表示するライブビューモニタとしての機能と、各種のGUIを表示し利用者の選択操作を受け付ける機能を備えている。
【００５４】
正面ストロボ９３は、カメラ９１の上方に設けられる。正面ストロボ９３は、乳白アクリル板よりなる、三日月状の発光面を有する。正面ストロボ９３は、カメラ９１による撮影に合わせて発光することで、被写体としての利用者の顔付近を正面から照射する。
【００５５】
カメラユニット８１の上方には、曲面の発光面を利用者に向けた上ストロボユニット８２が設置される。上ストロボユニット８２は、利用者の正面上方から、利用者の顔および上半身に光を照射する。
【００５６】
カメラユニット８１の下方には、利用者の下半身および足元に光を照射する足元ストロボユニット８３が設けられる。
【００５７】
上ストロボユニット８２および足元ストロボユニット８３は、蛍光灯とストロボ発光可能な照明機器とにより構成される。上ストロボユニット８２および足元ストロボユニット８３は、撮影空間を明るくして、利用者の操作性や安全性を確保するために、撮影空間内を常時照らすとともに、撮影画像の画質を向上させるために、撮影タイミングでストロボ発光し、被写体となる利用者に光を照射する。
【００５８】
足元ストロボユニット８３と側面パネル４１Ａとの間には、箱状部８４が設けられる。
また、足元ストロボユニット８３と側面パネル４１Ｂとの間には、箱状部８５が設けられる。箱状部８４，８５の上面は、写真シール作成装置１の設置面と略水平な面をなし、撮影作業を行う利用者が手荷物などを置くための荷物置き場として用いられる。
【００５９】
なお、図示はしないが、正面パネル４２の例えば天井付近には、スピーカが設けられる。そのスピーカは、撮影処理の案内音声、BGM、効果音などを出力する。
【００６０】
＜背景部の構成＞
図６は、背景部２２の撮影空間Ａ１側の構成例を示す図である。
【００６１】
背面パネル５１の上方には、背面上ストロボ１０１が設置される。背面上ストロボ１０１は、背面上方から利用者に光を照射する。
【００６２】
図中、背面パネル５１の左方には、背面左ストロボ１０２が設置される。背面左ストロボ１０２は、背面右方から利用者を照射する。図中、背面パネル５１の右方には、背面右ストロボ１０３が設置される。背面右ストロボ１０３は、背面左方から利用者を照射する。
【００６３】
また、背面パネル５１の撮影空間Ａ１側（図中、手前側）の面には、クロマキーシート１２１が貼り付けられる。クロマキーシート１２１の色は、例えば緑色とされる。
【００６４】
なお、図示はしないが、側面パネル５２Ａ，５２Ｂの撮影空間Ａ１側の面の下側（床面側）にも、クロマキーシート１２１と同様に、クロマキーシートが貼り付けられる。
【００６５】
＜編集ユニットの構成＞
図７は、編集ユニット１２の正面側（編集空間Ａ２−１側）の構成例を示す図である。
【００６６】
斜面６２のほぼ中央には、タブレット内蔵モニタ１３１が設けられる。タブレット内蔵モニタ１３１の左側にはタッチペン１３２Ａが設けられる。タブレット内蔵モニタ１３１の右側にはタッチペン１３２Ｂが設けられる。
【００６７】
タブレット内蔵モニタ１３１は、タブレットとディスプレイを積層して構成される。タブレットは、タッチペン１３２Ａまたはタッチペン１３２Ｂを用いた操作入力を可能とする。タブレット内蔵モニタ１３１には、例えば、編集作業に用いられる編集画面が表示される。２人の利用者が同時に編集作業を行う場合、タッチペン１３２Ａはタブレット内蔵モニタ１３１に向かって左側にいる利用者により用いられ、タッチペン１３２Ｂはタブレット内蔵モニタ１３１に向かって右側にいる利用者により用いられる。
【００６８】
なお、タッチペン１３２Ａを用いた操作とタッチペン１３２Ｂを用いた操作は識別される。適宜、タブレット内蔵モニタ１３１の左側の表示に対してはタッチペン１３２Ａを用いた操作のみが可能とされ、右側の表示に対してはタッチペン１３２Ｂを用いた操作のみが可能とされる。以下、適宜、タッチペン１３２Ａとタッチペン１３２Ｂを区別する必要がない場合、まとめてタッチペン１３２という。
【００６９】
図８は、編集ユニット１２の左側面の構成例を示す図である。
【００７０】
編集ユニット１２の左側面の下側にはシール紙排出口１６１が設けられる。編集ユニット１２の内部にはプリンタが設けられている。そのプリンタにより、編集空間Ａ２−１の利用者が写る画像、または、編集空間Ａ２−２の利用者が写る画像が所定のレイアウトでシールシートに印刷され、シール紙排出口１６１から排出される。
【００７１】
＜シールシートの例＞
図９は、写真シール作成装置１により作成されるシールシートの例を示す図である。
【００７２】
利用者が例えば２人である場合、図９に示すようなレイアウトで写真（画像）が印刷されたシールシートが作成され、利用者に提供される。図９に示すレイアウトは複数種類用意されているレイアウトのうちの１つであり、利用者は好みのレイアウトを選択することができる。
【００７３】
シールシート１８１には、略名刺サイズのメイン領域１８１Ａと、横長帯状のおまけ領域１８１Ｂが形成される。メイン領域１８１Ａの略左半分には編集画像１９１−１が大きく印刷され、その右側に、４枚の編集画像１９１−２乃至１９１−５が、編集画像１９１−１より小さいサイズで２行×２列に並べて印刷される。編集画像１９１−１乃至１９１−５は縦長長方形の画像である。
【００７４】
編集画像１９１−１乃至１９１−５は、被写体の顔と上半身が大きく写る画像であるアップ画像に対して編集が施されることによって生成された画像である。実際には、適宜、利用者の背景には、所定の色や柄の画像である背景画像が合成され、利用者の前景には、手書きの文字やスタンプ画像などの前景画像が合成される。
【００７５】
撮影処理においては、アップ画像の他に、頭の上から膝下付近までの広い範囲が写る画像の撮影も行われる。この画像は、例えば、洋服のコーディネートを残しておくために用いられる。以下、適宜、洋服のコーディネートを残しておくためなどに用いられる、アップ画像よりも撮影範囲の広い画像をコーディネート画像という。頭の上から足の先までの全身が写る画像をコーディネート画像としてもよい。
【００７６】
アップ画像とコーディネート画像は縦横比が異なる。例えば、アップ画像の横方向の長さと縦方向の長さの比は１：１．２であり、コーディネート画像の横方向の長さと縦方向の長さの比は１：１．５である。この例においては、コーディネート画像は印刷されないものとされている。
【００７７】
おまけ領域１８１Ｂには、メイン領域１８１Ａに印刷される編集画像の形状と異なる様々な形状の前景フレームを重ねた画像がおまけ画像１９２−１乃至１９２−５として横に並べて印刷される。おまけ領域１８１Ｂに印刷されている画像は、例えばはさみで切り取って用いられる。前景フレームを重ねてその内側の範囲が見えるようにするのではなく、元になる画像を様々な形状にトリミングすることによっておまけ画像が生成されるようにしてもよい。
【００７８】
後に詳述するように、おまけ領域１８１Ｂに印刷されるおまけ画像は、編集作業時に利用者に行われた編集の内容が全て反映された画像ではなく、一部の編集が未反映の画像を用いて生成された画像である。編集が全く行われていない撮影画像を用いて生成された画像がおまけ画像としておまけ領域１８１Ｂに印刷されるようにしてもよい。
【００７９】
おまけ領域１８１Ｂの余白にはシールIDなどが印刷される。シールIDは、写真シール作成装置１からサーバに送信された画像をスマートフォンなどの携帯端末で閲覧するときに利用される。
【００８０】
携帯端末に対する画像の送信は、写真シール作成装置１から送信された画像を携帯端末に取り込む（保存する）ためのWebサイトである画像取得サイトを管理するサーバを介して行われることになる。利用者は、携帯端末に取り込んだ画像をSNSに投稿したり、壁紙に設定したりして利用することができる。以下、適宜、画像取得サイトを管理するサーバを画像取得サイト管理サーバという。
【００８１】
図１０は、編集画像の生成の流れの例を示す図である。
【００８２】
左端の原画像Ｐ１は、撮影時にカメラ９１から出力された画像である。図１０の例においては、２人の利用者の頭の上からつま先までの略全身が写っているが、原画像Ｐ１に写る範囲（画角）は、カメラ９１のレンズの焦点距離などに応じて適宜変更される。原画像Ｐ１に写る利用者の背景には、撮影空間Ａ１の床、撮影空間Ａ１を囲む各パネルの内側の面、およびクロマキーシート１２１などの、撮影時に利用者の周りに実際にある物が写っている。
【００８３】
原画像Ｐ１に対しては、トリミングが施され、矢印＃１１の先に示すように、トリミング画像Ｐ２が生成される。トリミング画像Ｐ２は、原画像Ｐ１に写る範囲のうち、破線で囲んで示す矩形状の範囲を切り出すことによって生成された画像である。
【００８４】
図１０の例においては、２人の利用者の略胸から上の範囲が写っており、トリミング画像Ｐ２がアップ画像として用いられる。原画像Ｐ１上に破線で示す矩形はアップ画像の撮影時に用いられるトリミング範囲を表している。トリミングによって切り出す範囲は、アップ画像やコーディネート画像などの画角が異なる画像の種類によって適宜変更される。原画像Ｐ１と比べて狭い範囲になっているが、トリミング画像Ｐ２において、利用者の背景にはクロマキーシート１２１などが写る。
【００８５】
トリミング画像Ｐ２に対しては、クロマキー処理が施され、矢印＃１２の先に示すように人物画像Ｐ３が生成される。クロマキー処理は、例えば、クロマキーシート１２１の色と同じ色の領域を抽出することによってマスク画像を生成し、生成したマスク画像を用いて人物領域を抽出するようにして行われる。
【００８６】
人物画像Ｐ３は、利用者が写っている領域以外の領域（背景の領域）の透過度が１００％として設定された画像となる。図１０において、人物画像Ｐ３の背景の領域を黒色で塗りつぶしていることは、その領域の透過度が１００％であることを示す。
【００８７】
人物画像Ｐ３に対しては、矢印＃１３と矢印＃１４の先に示すように背景画像Ｐ４が合成され、矢印＃１５の先に示すように、背景合成画像Ｐ５が生成される。背景画像Ｐ４は、利用者自身により、または写真シール作成装置１により、予め用意された複数種類の中から所定のタイミングで選択される。
【００８８】
人物画像Ｐ３と背景画像Ｐ４の合成は、人物画像Ｐ３のレイヤの下に背景画像Ｐ４のレイヤを配置するようにして行われる。背景合成画像Ｐ５は、利用者の背景に、背景画像Ｐ４が見える画像となる。
【００８９】
例えば、このようにして生成された背景合成画像Ｐ５が、編集の対象として用いられる。利用者は、自分の背景に背景画像が見える画像に対して、手書きの文字やスタンプ画像などの合成用画像を入力する作業である落書き作業を行うことになる。
【００９０】
落書き作業は、複数種類用意されているツールの中から所定のツールを選択し、その状態で、ツールに応じた合成用画像の配置位置を選択することを繰り返すことによって行われる。例えば、ツールの選択は、編集画面に表示されたボタンを押下することによって行われ、合成用画像の配置位置の選択は、編集対象として大きく表示されている画像上の位置を押下することによって行われる。
【００９１】
背景合成画像Ｐ５に対しては、矢印＃１６と矢印＃１７の先に示すように前景画像Ｐ６が合成され、矢印＃１８の先に示すように、編集画像Ｐ７が生成される。前景画像Ｐ６は、利用者による落書き作業に応じて生成された画像であり、合成用画像が所定の位置に配置されることによって構成される。
【００９２】
図１０の例において、前景画像Ｐ６は、「Love my friend」の手書き文字の合成用画像が下方に配置され、ハート型の合成用画像が左上に配置された画像である。手書き文字の合成用画像は、ペンツールを用いて利用者によって入力されたペン画像であり、ハート型の合成用画像は、スタンプツールを用いて利用者によって入力されたスタンプ画像である。前景画像Ｐ６のうち、合成用画像が配置された領域以外の領域は透過度が１００％として設定される。
【００９３】
背景合成画像Ｐ５と前景画像Ｐ６の合成は、背景合成画像Ｐ５を構成する人物画像Ｐ３のレイヤの上に前景画像Ｐ６のレイヤを配置するようにして行われる。編集画像Ｐ７は、利用者の背景に背景画像Ｐ４が見え、利用者の前景に合成用画像が見える画像となる。前景画像Ｐ６は、適宜、複数のレイヤの画像として構成される。
【００９４】
前景画像Ｐ６の合成は、落書き作業によって入力された合成用画像が人物の背景に見えるように行われることもある。この場合、前景画像Ｐ６を構成する所定のレイヤが、人物画像Ｐ３のレイヤの下であって、背景画像Ｐ４のレイヤの上に配置されることになる。
【００９５】
複数回の撮影によって得られた複数枚の原画像Ｐ１のそれぞれを元にして、このような処理が行われ、複数枚の編集画像Ｐ７が生成されてシールシートに印刷される。
【００９６】
なお、図１０は、編集画像Ｐ７の生成に至る基本的な処理のみを示すものである。編集画像Ｐ７の生成までに、画像に写る利用者の顔や目の大きさを調整したり、肌の色や明るさを調整したりするレタッチ処理、唇の色を調整したり、頬に色を付けたりするメイク処理などの図１０に示す処理以外の画像処理が、利用者の操作に応じて行われることもある。
【００９７】
例えば、レタッチ処理、メイク処理は、編集空間Ａ２にいる利用者による操作に応じて行われる。編集空間Ａ２にいる利用者による操作に応じて撮影画像に施される画像処理を編集処理とすると、編集処理には、落書き処理、レタッチ処理、メイク処理が含まれる。
【００９８】
落書き処理が施されることによって生成された画像、レタッチ処理が施されることによって生成された画像、メイク処理が施されることによって生成された画像は、いずれも編集画像となる。
【００９９】
一方、編集処理が施されていない画像は撮影画像である。原画像Ｐ１、トリミング画像Ｐ２、人物画像Ｐ３、および背景合成画像Ｐ５は、図１０に示すようにいずれも撮影画像である。
【０１００】
なお、図１０に示す処理に他の処理を加えるだけでなく、編集画像Ｐ７の生成に至るまでの各処理の順番は、適宜、入れ替えることも可能である。
【０１０１】
例えば、背景画像の選択が編集空間Ａ２において行われるようにすることが可能である。この場合、背景画像の合成処理は、編集空間Ａ２にいる利用者による操作に応じて撮影画像に施される画像処理となるから、編集処理となる。
【０１０２】
＜写真シール作成装置の内部構成＞
図１１は、写真シール作成装置１の構成例を示すブロック図である。図１１において、上述した構成と同じ構成には同じ符号を付してある。重複する説明については適宜省略する。
【０１０３】
図１１に示すように、写真シール作成装置１は、PC(Personal Computer)部３０１に対して、事前選択部３０２、撮影部３０４、編集部３０５Ａ，３０５Ｂ、および印刷部３０６が外部入出力インタフェース３０３を介して接続されることによって構成される。情報処理部であるPC部３０１は、例えば編集ユニット１２の筐体内部に収納される。
【０１０４】
PC部３０１を構成するCPU(Central Processing Unit)３１１、ROM(Read Only Memory)３１２、RAM(Random Access Memory)３１３は、バス３１４により相互に接続される。
【０１０５】
CPU３１１は、所定のプログラムを実行し、写真シール作成装置１の全体の動作を制御する。ROM３１２は、CPU３１１が実行するプログラムやデータを記憶する。RAM３１２は、CPU３１１が処理するデータやプログラムを一時的に記憶する。
【０１０６】
バス３１４には、さらに、入出力インタフェース３１５が接続される。入出力インタフェース３１５には、記憶部３１６、通信部３１７、およびドライブ３１８が接続される。
【０１０７】
記憶部３１６は、ハードディスクやフラッシュメモリなどの不揮発性の記憶媒体である。記憶部３１６は、CPU３１１から供給された各種の設定情報などを記憶する。記憶部３１６に記憶されている情報はCPU３１１により適宜読み出される。
【０１０８】
通信部３１７は、インターネットなどのネットワークのインタフェースである。通信部３１７は、CPU３１１による制御に従って外部の装置と通信を行う。通信部３１７は、利用者により選択された画像を、例えば写真シール作成装置１の製造メーカが管理する画像取得サイト管理サーバに送信する。通信部３１７から送信された画像は、所定の記憶領域が割り当てられて保存され、画像取得サイト管理サーバにアクセスしてきた携帯端末上で表示されたり、その携帯端末にダウンロードされたりする。
【０１０９】
ドライブ３１８には、光ディスクや半導体メモリなどよりなるリムーバブルメディア３１９が適宜装着される。ドライブ３１８によりリムーバブルメディア３１９から読み出されたプログラムやデータは、CPU３１１に供給され、記憶部３１６に記憶されたり、インストールされたりする。
【０１１０】
入出力インタフェース３１５には外部入出力インタフェース３０３が接続される。PC部３０１による各部の制御が、外部入出力インタフェース３０３を介して行われる。
【０１１１】
事前選択部３０２は、事前選択空間Ａ０にいる利用者を対象とした事前選択処理を実現する。事前選択部３０２は、タッチパネルモニタ７１、スピーカ７２、および硬貨処理部３２１から構成される。
【０１１２】
タッチパネルモニタ７１は、PC部３０１による制御に従って各種の選択画面を表示し、選択画面に対する利用者の操作を受け付ける。利用者の操作の内容を表す入力信号はPC部３０１に供給され、各種の設定が行われる。
【０１１３】
硬貨処理部３２１は、硬貨投入返却口７３への硬貨の投入を検出する。硬貨処理部３２１は、所定の金額分の硬貨が投入されたことを検出した場合、ゲームの開始を指示する起動信号をPC部３０１に出力する。
【０１１４】
撮影部３０４は、撮影空間Ａ１にいる利用者を対象とした撮影処理を実現する。撮影部３０４は、照明装置３３１、カメラ９１、タッチパネルモニタ９２、およびスピーカ３３２から構成される。
【０１１５】
照明装置３３１は、撮影空間Ａ１内の各ストロボユニットであり、PC部３０１から供給される照明制御信号に従って発光する。
【０１１６】
カメラ９１は、PC部３０１によるシャッタ制御に従って撮影を行い、撮影によって得られた画像をPC部３０１に出力する。
【０１１７】
編集部３０５Ａは、編集空間Ａ２−１にいる利用者を対象とした編集処理などの各種の処理を実現する。編集部３０５Ａは、タブレット内蔵モニタ１３１、タッチペン１３２Ａ，１３２Ｂ、およびスピーカ３４１から構成される。編集部３０５Ｂは、編集空間Ａ２−２にいる利用者を対象とした処理を実現し、編集部３０５Ａと同一の構成を有する。なお、以下、編集部３０５Ａ，３０５Ｂを特に区別しない場合には、単に、編集部３０５という。
【０１１８】
タブレット内蔵モニタ１３１は、PC部３０１による制御に従って編集画面を表示し、編集画面に対する利用者の操作を受け付ける。利用者の操作の内容を表す入力信号はPC部３０１に供給され、撮影画像の編集が行われる。
【０１１９】
印刷部３０６は、プリンタ３５１を含むように構成される。プリンタ３５１にはシール紙ユニット３５２が装着される。
【０１２０】
プリンタ３５１は、内蔵するヘッド３６１を駆動し、PC部３０１から供給された印刷データに基づいて、シール紙ユニット３５２に収納されているロール状のシール紙３６３に画像を印刷する。また、プリンタ３５１は、画像を印刷したシール紙３６３をカッター３６２によって所定のカット位置でカットして、シールシートをシール紙排出口１６１に排出する。
【０１２１】
＜写真シール作成装置の機能構成例＞
図１２は、写真シール作成装置１の機能構成例を示すブロック図である。図１２に示す機能部のうちの少なくとも一部は、CPU３１１により所定のプログラムが実行されることによって実現される。
【０１２２】
写真シール作成装置１においては、事前選択処理部４０１、撮影処理部４０２、編集処理部４０３、および印刷処理部４０４が実現される。
【０１２３】
事前選択処理部４０１は、事前選択部３０２の各部を制御することで、事前選択処理を実行する。事前選択処理により、利用者の人数の選択、背景画像の選択などが行われる。
利用者による選択内容を表す情報は撮影処理部４０２に供給される。
【０１２４】
撮影処理部４０２は、撮影部３０４の各部を制御することで撮影処理を行う。撮影処理部４０２は、撮影処理を行うことによって得られた撮影画像のデータを編集処理部４０３に出力する。撮影処理部４０２から編集処理部４０３に対しては、撮影を複数回行うことによって得られた複数枚の撮影画像のデータが供給される。
【０１２５】
編集処理部４０３は、編集部３０５の各部を制御することで編集関連処理を行う。編集関連処理は、編集空間Ａ２に移動した利用者を対象として行う処理である。上述した編集処理（レタッチ処理、落書き処理、メイク処理を含む、編集空間Ａ２にいる利用者の操作に応じた画像処理）の他に、分割数選択、携帯端末に送信する画像の選択、印刷データを生成する処理、画像取得サイト管理サーバに画像を送信する処理などが編集関連処理に含まれる。編集処理部４０３は、編集画像を所定のレイアウトで配置することによって生成した印刷データを印刷処理部４０４に出力する。
【０１２６】
印刷処理部４０４は、プリンタ３５１に印刷データを出力し、編集画像の印刷を行う。
【０１２７】
＜撮影処理部の詳細構成＞
図１３は、撮影処理部４０２の構成例を示すブロック図である。
【０１２８】
撮影処理部４０２は、撮影制御部４１１、人物画像生成部４１２、および表示制御部４１３から構成される。
【０１２９】
撮影制御部４１１は、カメラ９１を制御して利用者を被写体として撮影を行う。撮影制御部４１１は、カメラ９１により取り込まれたライブビュー画像用の動画像を表示制御部４１３に出力する。また、撮影制御部４１１は、撮影画像の撮影タイミングになったときにカメラ９１により撮影された静止画像を人物画像生成部４１２に出力する。
【０１３０】
撮影制御部４１１による静止画像の撮影は例えば６回行われる。１回目から５回目までの撮影がアップ画像の撮影となり、６回目の撮影が例えばコーディネート画像の撮影となる。アップ画像の撮影とコーディネート画像の撮影は、カメラ９１のレンズの焦点距離を例えば同じ24mmとして行われる。トリミング範囲を変えることによって、縦横比の異なるアップ画像とコーディネート画像が生成される。
【０１３１】
図１４は、アップ画像とコーディネート画像の生成の例を示す図である。
【０１３２】
図１４に示す画像は、焦点距離を24mmとして撮影された原画像（静止画像）である。破線の枠Ｆ１で示す矩形領域が、アップ画像の撮影時にトリミングによって切り出される領域である。撮影制御部４１１は、枠Ｆ１で示す矩形領域をトリミングによって切り出し、アップ画像を生成する。
【０１３３】
また、一点鎖線の枠Ｆ２で示す矩形領域が、コーディネート画像の撮影時にトリミングによって切り出される領域である。撮影制御部４１１は、枠Ｆ２で示す矩形領域をトリミングによって切り出し、コーディネート画像を生成する。
【０１３４】
アップ画像とコーディネート画像の撮影前のライブビュー画像の表示も、カメラ９１により撮影された動画像の各フレームから、図１４において枠Ｆ１と枠Ｆ２で示す範囲を切り出して得られた画像を用いて行われる。
【０１３５】
なお、利用者の全身が写る全身画像の撮影が行われるようにすることが可能である。この場合、例えばカメラ９１のレンズの焦点距離を10mmに変更して、アップ画像よりも縦長の画像が得られるようにしてもよい。
【０１３６】
撮影制御部４１１は、トリミングによって切り出したアップ画像またはコーディネート画像を人物画像生成部４１２に出力する。
【０１３７】
人物画像生成部４１２は、撮影制御部４１１から供給されたトリミング画像に対してクロマキー処理を行い、利用者が写っている領域を抽出して人物画像を生成する。人物画像生成部４１２は、利用者の背景に背景画像が見えるように人物画像と背景画像を合成し、背景合成画像を表示制御部４１３に出力する。人物画像生成部４１２により生成された人物画像は、背景画像などとともに編集処理部４０３に供給される。
【０１３８】
表示制御部４１３は、タッチパネルモニタ９２の表示を制御する。例えば、表示制御部４１３は、撮影に関するガイダンスの画面をタッチパネルモニタ９２に表示させる。また、表示制御部４１３は、撮影制御部４１１から供給された情報に基づいて、タッチパネルモニタ９２にライブビュー画面を表示させ、撮影が行われた場合、撮影結果をタッチパネルモニタ９２に表示させる。例えば、人物画像生成部４１２から供給された背景合成画像が撮影結果として表示される。
【０１３９】
＜編集処理部の詳細構成＞
図１５は、編集処理部４０３の構成例を示すブロック図である。
【０１４０】
編集処理部４０３は、撮影画像取得部４３１、編集制御部４３２、表示制御部４３３、印刷データ生成部４３４、および通信制御部４３５から構成される。
【０１４１】
撮影画像取得部４３１は、撮影処理部４０２から出力された撮影画像を取得し、編集制御部４３２に出力する。撮影処理部４０２からは、例えば、クロマキー処理によって生成された人物画像が撮影画像として供給される。また、撮影画像取得部４３１は、事前選択処理時などに利用者により選択された背景画像を取得し、編集制御部４３２に出力する。
【０１４２】
編集制御部４３２は、利用者による操作に応じて撮影画像の編集を行い、編集画像を生成する。すなわち、編集制御部４３２は、５枚のアップ画像と１枚のコーディネート画像の人物画像に対してレタッチ処理を施す。
【０１４３】
また、編集制御部４３２は、レタッチ処理によって写りを調整した人物画像に対して背景画像を合成するとともに、利用者による落書きの内容を表す合成用画像を配置した前景画像を合成するなどして編集画像を生成する。編集制御部４３２は、編集結果を表す情報を表示制御部４３３に出力し、編集画面の表示に反映させる。
【０１４４】
編集制御部４３２は、適宜、携帯端末に送信する専用の画像である携帯送信用画像を利用者の操作に応じて生成する。編集画面には、携帯送信用画像の作成を行うときに操作されるボタンが用意されている。携帯送信用画像は、トリミングや、フレーム画像などの他の画像を合成する処理を含む各種の画像処理を利用者により選択された撮影画像に施すことによって生成される画像である。携帯送信用画像は、画像取得サイト管理サーバを経由して利用者の携帯端末に送信され、シールシートには印刷されない。
【０１４５】
編集制御部４３２は、編集が終了した場合、落書き処理も含めて、利用者の操作に応じた全ての編集処理が反映された編集画像と、編集処理の一部が未反映の編集画像とを印刷データ生成部４３４に出力する。例えば、レタッチ処理やメイク処理は反映されているものの、落書き処理が反映されていない編集画像が、編集処理の一部が未反映の編集画像として生成され、出力される。
【０１４６】
以下、適宜、落書き処理を含めて、編集空間Ａ２にいる利用者の操作に応じた全ての編集処理の内容が反映された編集画像を落書き反映画像という。また、落書き処理の内容が未反映の編集画像を落書き未反映画像という。
【０１４７】
また、編集制御部４３２は、編集画像のデータを通信制御部４３５に出力する。編集制御部４３２から通信制御部４３５に対しては携帯送信用画像も供給される。
【０１４８】
表示制御部４３３は、タブレット内蔵モニタ１３１の表示を制御する。例えば、表示制御部４３３は、撮影画像の編集に用いられる編集画面をタブレット内蔵モニタ１３１に表示させる。
【０１４９】
印刷データ生成部４３４は、編集制御部４３２から供給された落書き反映画像をメイン領域１８１Ａに所定のレイアウトで配置するとともに、落書き未反映画像を用いておまけ画像を生成しておまけ領域１８１Ｂに配置し、印刷データを生成する。印刷データ生成部４３４は、印刷データを印刷処理部４０４に出力し、シールシートに印刷させる。
【０１５０】
通信制御部４３５は、通信部３１７を制御し、編集制御部４３２から供給された編集画像や携帯送信用画像を画像取得サイト管理サーバに送信する。画像取得サイト管理サーバに対しては、適宜、編集画像のレイアウトを表す情報なども送信される。
【０１５１】
＜画像の印刷例＞
図１６は、シールシートに印刷された画像の例を示す図である。
【０１５２】
図１６には、図９に示した画像と同様の画像が示されている。図９には落書きによって入力された合成用画像が示されていないが、実際には、シールシート１８１には合成用画像が入力された画像も印刷される。図１６は、シールシートに印刷される画像をより詳細に示す図である。上述した説明と重複する説明については適宜省略する。
【０１５３】
図１６の例においては、メイン領域１８１Ａの左側に落書き反映画像１８１Ａ−１が大きく印刷され、その右側に、４枚の落書き反映画像１８１Ａ−２乃至１８１Ａ−５が２行×２列に並べて印刷される。落書き反映画像１８１Ａ−２乃至１８１Ａ−５は、落書き反映画像１８１Ａ−１より小さいサイズで印刷される。
【０１５４】
落書き反映画像１８１Ａ−１乃至１８１Ａ−５に写る人物の背景には所定の色や柄などを表す背景画像が配置され、前景には、ペン画像やスタンプ画像などの各種の合成用画像が配置される。落書き反映画像１８１Ａ−１乃至１８１Ａ−５は、落書き処理を含めて、全ての編集処理が反映された画像である。
【０１５５】
一方、おまけ領域１８１Ｂには、５枚のおまけ画像であるおまけ画像１８１Ｂ−１乃至１８１Ｂ−５が横に並べて印刷される。おまけ画像１８１Ｂ−１乃至１８１Ｂ−５は、図９に示すおまけ画像とは異なり、縦長長方形（矩形）の画像である。おまけ画像１８１Ｂ−１乃至１８１Ｂ−５は、落書き反映画像１８１Ａ−２などより小さいサイズで印刷される。
【０１５６】
おまけ画像１８１Ｂ−１乃至１８１Ｂ−５は、編集制御部４３２により生成された、落書き未反映画像を用いて印刷されたものである。すなわち、おまけ画像１８１Ｂ−１乃至１８１Ｂ−５に写る人物の背景には、それぞれ、落書き反映画像１８１Ａ−１乃至１８１Ａ−５に配置されているものと同じ背景画像が配置されているが、前景には、ペン画像やスタンプ画像などの合成用画像が配置されていない。
【０１５７】
同じ撮影画像に基づいて生成された編集画像であって、利用者による操作に応じた全ての編集処理の内容が反映された編集画像と、一部の編集処理の内容が未反映の編集画像とが、１枚のシールシート１８１に混在して印刷されることになる。
【０１５８】
図１７は、図１６の落書き反映画像１８１Ａ−１とおまけ画像１８１Ｂ−１を並べて示す図である。
【０１５９】
図１７に示すように、上段の落書き反映画像１８１Ａ−１と下段のおまけ画像１８１Ｂ−１は、いずれも同じアップ画像を元にして生成された画像である。同じ構図で写る利用者の背景には同じ背景画像が配置されている。
【０１６０】
落書き反映画像１８１Ａ−１とおまけ画像１８１Ｂ−１に写る利用者の目は、レタッチ処理が施されることによって、実際の大きさより大きく写っている。また、メイク処理が施されることによって、唇の色などが実際の色とは異なる色で写っている。
【０１６１】
このように、落書き反映画像１８１Ａ−１とおまけ画像１８１Ｂ−１の違いは、落書き処理によって入力された合成用画像が配置されているか否かの違いとなる。
【０１６２】
おまけ画像１８１Ｂ−１乃至１８１Ｂ−５は、それぞれ、落書き処理が未反映であり、合成用画像が配置されていない点だけが落書き反映画像１８１Ａ−１乃至１８１Ａ−５と異なる。図１８に示すように、編集処理時に画像処理として行われるレタッチ処理、落書き処理、メイク処理のうち、おまけ画像の表示に用いられる編集画像には、レタッチ処理とメイク処理は反映されるが、落書き処理は反映されない。
【０１６３】
落書きが施された編集画像は落書きをして遊んだ結果の画像であって、どのような落書きを行ったのかを確認することができるという点で、利用者にとっては残しておきたい画像であると考えられる。一方、落書きが施されていない編集画像は、落書きが施された編集画像と比べて人物が際立って見える画像であるため、自分の写りを確認することが出来るという点で、やはり、利用者にとっては残しておきたい画像であると考えられる。
【０１６４】
このように、落書きが施された編集画像と落書きが施されていない編集画像の両方が１枚のシールシートに残されることになるため、利用者は満足感を得ることが可能になる。
【０１６５】
落書きをしすぎた場合（合成用画像を多く配置しすぎた場合）、顔が目立たなくなってしまうことがある。このように顔が目立たない編集画像だけが印刷されるとした場合、シールシートとしての完成度が下がってしまうが、落書きが施されていない編集画像が印刷されることにより、顔が際立って写る画像をも残してことが可能になる。
【０１６６】
図１９は、編集処理の反映と未反映について説明する図である。
【０１６７】
図１９Ａの左側に示すように前景画像のレイヤを合成することによって編集画像を生成するのとは別に、右側に示すように前景画像のレイヤの合成を行わない編集画像を落書き未反映画像とするようにして、落書き未反映画像が生成されるようにしてもよい。図１９Ａの左側の編集画像上に示すハート型の画像は、落書き処理によって配置された合成用画像である。
【０１６８】
また、図１９Ｂに示すように、落書き処理が反映された編集画像を生成した後、前景画像のレイヤを削除し、合成用画像を消去することによって落書き未反映画像が生成されるようにしてもよい。
【０１６９】
図１９Ｃに示すように、落書き処理が反映された編集画像を生成した後、利用者により入力された合成用画像を、それとは異なる合成用画像に置き換えることによって落書き未反映画像が生成されるようにしてもよい。図１９Ｃの例においては、ハート型の合成用画像が、星型の合成用画像に置き換えられている。色が異なるハート型の合成用画像によって置き換えられるようにしてもよい。合成用画像の置き換えには、形状の異なる画像だけでなく、色の異なる画像への置き換えも含まれる。
【０１７０】
このように、落書きを未反映とすることには、編集画像上に合成用画像を出力しないことだけでなく、利用者が配置した合成用画像とは異なる合成用画像を出力することも含まれる。
【０１７１】
反映は、利用者による操作に応じた編集処理の内容をそのまま出力することを意味し、未反映は、利用者による操作に応じた編集処理の内容をそのまま出力しないことを意味することになる。
【０１７２】
図２０は、シールシートに印刷された画像の他の例を示す図である。
【０１７３】
図２０のシールシート１８１は、おまけ画像として、図９を参照して説明したような各種の形状の画像がおまけ領域１８１Ｂに印刷されたシールシートである。
【０１７４】
図２０の例においては、おまけ画像１８１Ｂ−１１は角丸正方形の画像であり、おまけ画像１８１Ｂ−１２は円形の画像である。おまけ画像１８１Ｂ−１３は角丸六角形の画像であり、おまけ画像１８１Ｂ−１４は菊の花状の画像である。おまけ画像１８１Ｂ−１５はおまけ画像１８１Ｂ−１１と同様に角丸正方形の画像である。おまけ領域１８１Ｂに印刷されるおまけ画像の形状は、同じ形状が含まれるようにしてもよいし、全て異なる形状であってもよい。
【０１７５】
以下、適宜、図２０に示すような、各種の形状でおまけ領域１８１Ｂに印刷されるおまけ画像を、各種の形を有している画像という意味で「カタチ画像」という。メイン領域１８１Ａに印刷される編集画像と同じ縦長長方形のおまけ画像を印刷するのか、カタチ画像を印刷するのかを、分割数の選択時に選択できることになる。
【０１７６】
利用者は、例えば、おまけ領域１８１Ｂ全体を切り離してデザインが凝った１つのシールとして使う場合にはカタチ画像を選択し、それぞれのおまけ画像を切り離して使う場合には縦長長方形のおまけ画像を選択するといったような選択が可能になる。縦長長方形のおまけ画像は同じ大きさで等間隔に配置されているため、はさみで切り離すときに作業を行いやすい。
【０１７７】
図２０のおまけ画像１８１Ｂ−１１乃至１８１Ｂ−１５は、それぞれ、落書き未反映画像を元にして生成された画像である。おまけ画像１８１Ｂ−１１乃至１８１Ｂ−１５に写る人物の背景には、それぞれ、落書き反映画像１８１Ａ−１乃至１８１Ａ−５に配置されているものと同じ背景画像が配置されているが、前景には、ペン画像やスタンプ画像などの各種の合成用画像が配置されていない。
【０１７８】
カタチ画像は、例えば、縦長長方形の落書き未反映画像に対して、顔の付近を中心とした正方形の領域を切り出すようにしてトリミングを施し、トリミングによって切り出した正方形の画像の上に、所定の形状のフレーム画像を重ねることによって生成される。
【０１７９】
このように、カタチ画像を印刷する場合においても、落書き未反映画像が用いられる。これによっても、利用者は、落書きが施された編集画像と落書きが施されていない編集画像とが印刷されたシールシートを受け取ることが可能になる。
【０１８０】
カタチ画像は、所定の形状のフレーム画像が前景に配置される画像であるし、メイン領域１８１Ａに印刷された編集画像と比べて小さいため、落書き処理の内容を反映させたとしても、利用者がせっかく入力した落書きが見えなくなることがある。落書き未反映画像を用いてカタチ画像が生成されるようにすることにより、落書きが見えにくい画像が印刷されてしまうことを防ぐことが可能になる。
【０１８１】
＜写真シール作成装置の動作＞
ここで、図２１のフローチャートを参照して、写真シール作成ゲームを提供する写真シール作成装置１の動作について説明する。
【０１８２】
ステップＳ１において、事前選択処理部４０１は、所定の金額分の硬貨が投入されたか否かを、硬貨処理部３２１から供給される起動信号に基づいて判定し、硬貨が投入されたと判定するまで待機する。硬貨が投入されたとステップＳ１において判定された場合、処理はステップＳ２に進む。
【０１８３】
ステップＳ２において、事前選択処理部４０１は、事前選択部３０２を制御することで、事前選択処理を行う。事前選択処理により、例えば、利用者の人数の選択、撮影画像に合成する背景画像の選択などが行われる。いずれの選択も、タッチパネルモニタ７１に表示される画面を用いて行われる。
【０１８４】
ステップＳ３において、撮影処理部４０２は、撮影部３０４を制御することで、撮影処理を行う。例えば、撮影処理部４０２は、カメラ９１により取り込まれた動画像に基づいてライブビュー画面をタッチパネルモニタ９２に表示させ、撮影空間Ａ１にいる利用者を被写体として撮影を行う。撮影は所定の回数だけ繰り返し行われる。原画像に対するトリミングなどが行われ、例えば、５枚のアップ画像と１枚のコーディネート画像が生成される。
【０１８５】
ステップＳ４において、編集処理部４０３は、編集空間Ａ２−１と編集空間Ａ２−２のうち、撮影処理を終えた利用者の移動先とした方の編集空間に対応する編集部３０５を制御することで、編集関連処理を行う。編集関連処理の詳細については図２２のフローチャートを参照して後述する。
【０１８６】
ステップＳ５において、印刷処理部４０４は、プリンタ３５１を制御することで、印刷処理を行う。印刷処理部４０４は、編集関連処理が行われることによって編集処理部４０３により生成された印刷データをプリンタ３５１に出力してシールシートに印刷させる。
【０１８７】
印刷が終了した場合、ステップＳ６において、プリンタ３５１は、編集画像が印刷されたシールシートをシール紙排出口１６１に排出する。
【０１８８】
写真シール作成装置１の利用者の各グループに対しては、以上のような一連の処理からなる写真シール作成ゲームが提供される。あるグループの利用者に続けて他のグループの利用者が写真シール作成装置１の利用を開始した場合、写真シール作成装置１の利用を先に始めた利用者の写真シール作成ゲームと、後から始めた利用者の写真シール作成ゲームとが適宜並行して行われることになる。適宜、写真シール作成ゲームを単にゲームともいう。
【０１８９】
＜編集関連処理＞
次に、図２２のフローチャートを参照して、図２１のステップＳ４において行われる編集関連処理について説明する。
【０１９０】
各種の編集機能の説明画面が表示された後、ステップＳ３１において、編集処理部４０３の表示制御部４３３（図１５）は、目の大きさ・明るさ選択画面をタブレット内蔵モニタ１３１に表示させる。
【０１９１】
目の大きさ・明るさ選択画面は、撮影画像に写る利用者の目の大きさと肌の明るさの選択に用いられる画面である。目の大きさ・明るさ選択画面には、例えば、５種類の目の大きさの中から所定の大きさを選択するためのボタンと、５種類の肌の明るさの中から所定の明るさを選択するためのボタンが表示される。
【０１９２】
目の大きさ・明るさ選択画面に表示されているボタンを押下することによって、目の大きさと肌の明るさが選択された場合、ステップＳ３２において、編集制御部４３２はレタッチ処理を行う。
【０１９３】
例えば、編集制御部４３２は、目の大きさを規定するパラメータを設定し、目の大きさ・明るさ選択画面において選択された大きさになるようにそれぞれの撮影画像に写る利用者の目の大きさを調整する。目の大きさの調整は、例えば、人物画像のうち、目を含む領域を拡大することによって行われる。
【０１９４】
また、編集制御部４３２は、肌の明るさを規定するパラメータを設定し、選択された明るさになるようにそれぞれの撮影画像に写る利用者の肌の明るさを調整する。肌の明るさの調整は、例えば、人物画像から肌色の領域を抽出し、抽出した領域の画素値を変更することによって行われる。
【０１９５】
このようなレタッチ処理が施されるとともに、背景画像が合成された撮影画像が、落書き処理などの他の編集処理の対象となる。
【０１９６】
ステップＳ３３において、表示制御部４３３は、編集画面をタブレット内蔵モニタ１３１に表示させる。編集画面には、編集対象となる撮影画像と、スタンプ画像やペン画像などの各種の落書きツール（合成用画像）を選択するときに操作されるボタンが表示される。
【０１９７】
図２３は、タブレット内蔵モニタ１３１に表示される編集画面の例を示す図である。
【０１９８】
編集画面は、基本的に、主な構成が左右対称に設けられることによって構成される。左半分の領域は、タブレット内蔵モニタ１３１に向かって左側にいる利用者により用いられる領域である。右半分の領域は、タブレット内蔵モニタ１３１に向かって右側にいる利用者により用いられる領域である。このような編集画面の構成により、主に２人の利用者が同時に編集作業を行うことができる。なお、図２３に示される編集画面上の各領域を囲む破線は、画面に実際に表示されるものではない。
【０１９９】
編集画面の左半分の領域の中央上方には、サムネイル表示領域５１１Ｌが設けられる。サムネイル表示領域５１１Ｌは、撮影画像を表すサムネイル画像の表示領域である。サムネイル画像は、例えば、背景画像を合成した撮影画像（背景合成画像）をそれぞれ縮小することによって生成される。利用者は、サムネイル表示領域５１１Ｌに表示されているサムネイル画像を選択することによって、編集対象とする撮影画像を選択する。
【０２００】
図２３の例では、５枚のアップ画像のサムネイル画像Ｐ５１乃至Ｐ５５と、１枚のコーディネート画像のサムネイル画像Ｐ５６が、サムネイル表示領域５１１Ｌに並べて表示されている。
【０２０１】
左半分の領域の略中央には編集領域５１２Ｌが設けられる。編集領域５１２Ｌは、サムネイル画像を用いて選択された編集対象となる撮影画像の表示領域である。利用者は、タッチペン１３２Ａを用いて落書きツールを選択し、編集領域５１２Ｌに表示された撮影画像の落書きを行うことができる。
【０２０２】
編集領域５１２Ｌの下方には、横長長方形の領域である編集パレット５１３Ｌが表示される。編集パレット５１３Ｌは、落書きツールの選択に用いられるボタンが表示される領域である。落書きツールには、例えば、ペン画像を配置するのに用いられるペンツール、スタンプ画像を配置するのに用いられるスタンプツールが用意される。
【０２０３】
編集パレット５１３Ｌの上方には、落書きツールのカテゴリの選択に用いられる５種類のタブが表示される。編集パレット５１３Ｌの右には、落書きツールの種類の選択に用いられる６種類のタブが表示される。利用者は、編集パレット５１３Ｌに表示させる落書きツールの種類とカテゴリを、これらのタブを用いて切り替えることができる。
【０２０４】
編集領域５１２Ｌの左方にはメイクツール領域５１４Ｌが表示される。メイクツール領域５１４Ｌには、メイク処理の内容の選択に用いられるボタンが表示される。メイクツール領域５１４Ｌに表示されたボタンを押下することに応じて、編集対象の撮影画像に対して、唇の色や頬の色を所定の色に調整する処理、目の部分にマスカラを表す画像を合成する処理などのメイク処理が施される。色の調整や画像の合成を含む画像処理が施される唇、頬、目などの顔の各種の器官については、編集制御部４３２により認識され、特定の画像処理が施される。
【０２０５】
編集領域５１２Ｌの右方には、修正ツール選択領域５１５Ｌが形成される。修正ツール選択領域５１５Ｌは、消しゴムツールの選択に用いられるボタン、「戻る」ボタン、「進む」ボタン、「最初から」ボタンなどが縦に並んで表示される領域である。
【０２０６】
消しゴムツールは、入力された合成用画像を消すときに用いられるツールである。「戻る」ボタンおよび「進む」ボタンは、編集操作を１つ戻す、または、１つ進めるときに操作されるボタンであり、「最初から」ボタンは、編集操作を全てキャンセルし、いずれの編集もされていない状態に戻すときに操作されるボタンである。また、修正ツール選択領域５１５Ｌには、「１set戻る」ボタンも表示される。「１set戻る」ボタンを押すことにより、所定の時間の間に行われた編集操作をまとめて消すことができる。
【０２０７】
修正ツール選択領域５１５Ｌの右方には、携帯送信用画像を作成するときに操作される作成ボタン５１６Ｌが表示される。図２３の編集画面に表示されている「ケータイおまけ」の文字は携帯送信用画像を表す。作成ボタン５１６Ｌが押下された場合、携帯送信用画像の作成画面が編集画面に重ねて表示される。
【０２０８】
修正ツール選択領域５１５Ｌの上方には、編集処理を終了するときに操作される終了ボタン５１７Ｌが表示される。
【０２０９】
タブレット内蔵モニタ１３１に向かって右側にいる利用者により用いられる右半分の領域には、上述した左半分の領域の構成と同じ構成が、位置を対称にして配置される。撮影画像の編集は、このような編集画面を用いて行われる。
【０２１０】
図２２のステップＳ３４において、編集制御部４３２は、利用者の操作に応じて落書き処理を行い、編集対象の撮影画像に落書きを施す。すなわち、編集制御部４３２は、利用者により選択された落書きツールに応じた合成用画像を所定の位置に配置した前景画像を生成し、編集対象の撮影画像に合成することによって、編集画像（落書き反映画像）を生成する。
【０２１１】
ステップＳ３５において、編集制御部４３２は、メイクツール領域５１４Ｌのボタンに対する利用者の操作に応じて、落書き以外の編集処理であるメイク処理を編集対象の撮影画像に施し、メイク処理が施された編集画像を生成する。
【０２１２】
なお、この例においては、メイク処理は、メイクツール領域５１４Ｌのボタンが操作された場合にだけ行われる編集処理である。メイクツール領域５１４Ｌのボタンが操作されない場合、メイク処理は行われない。レタッチ処理と同様に、メイク処理が必ず行われるようにしてもよい。
【０２１３】
ステップＳ３６において、編集制御部４３２は、落書き未反映画像を生成する。すなわち、編集制御部４３２は、レタッチ処理とメイク処理の内容は反映させるものの、落書き処理の内容を未反映とすることによって、それぞれの撮影画像を元にして、落書き未反映画像を生成する。
【０２１４】
編集制御部４３２により生成された落書き反映画像と落書き未反映画像は印刷データ生成部４３４に供給される。
【０２１５】
ステップＳ３７において、編集制御部４３２は編集終了か否かを判定する。編集終了ではないとステップＳ３７において判定された場合、ステップＳ３４に戻り、以上の処理が繰り返される。
【０２１６】
例えば終了ボタン５１７Ｌ，５１７Ｒが操作されたことから編集終了であるとステップＳ３７において判定された場合、ステップＳ３８において、表示制御部４３３は、分割数選択画面をタブレット内蔵モニタ１３１に表示させる。分割数選択画面は、シールレイアウトの選択に用いられる画面である。
【０２１７】
ステップＳ３９において、印刷データ生成部４３４は、落書き反映画像と落書き未反映画像を、利用者により選択された例えば図１６を参照して説明したようなレイアウトで配置し、印刷データを生成する。生成された印刷データは印刷処理部４０４に供給され、印刷処理に用いられる（図２１のステップＳ５）。
【０２１８】
ステップＳ４０において、表示制御部４３３は、送信画像選択画面をタブレット内蔵モニタ１３１に表示させる。編集画像（５枚のアップ画像と１枚のコーディネート画像）、および携帯送信用画像は、画像取得サイト管理サーバに送信される。
【０２１９】
利用者は、画像取得サイトを利用するためには会員登録を行う必要があり、会員には有料会員と無料会員がある。有料会員は画像取得サイト管理サーバに送信された全ての画像を自分の携帯端末にダウンロードすることができるのに対して、無料会員は１枚の画像だけを自分の携帯端末にダウンロードすることができる。送信画像選択画面は、無料会員が、自分の携帯端末にダウンロードする画像を選択するのに用いられる画面である。送信画像選択画面において選択された画像の情報は通信制御部４３５に供給される。
【０２２０】
携帯端末に送信する画像が選択された後、タブレット内蔵モニタ１３１にはメールアドレスの入力画面が表示される。利用者は、入力画面に表示されたキーボードを操作して自分のメールアドレスを入力する。ここで入力されたメールアドレス宛てに、画像取得サイト管理サーバから電子メールが送信され、画像の保存先が通知される。メールアドレスの入力は制限時間内に行うことが必要とされる。
【０２２１】
ステップＳ４１において、通信制御部４３５は、編集画像と携帯送信用画像を画像取得サイト管理サーバに送信する。画像取得サイト管理サーバに対しては、写真シール作成装置１の機器ID、撮影日時、送信画像選択画面からどの画像が選択されたのかを表す情報なども送信される。
【０２２２】
ステップＳ４２において、表示制御部４３３は、案内画面をタブレット内蔵モニタ１３１に表示させることによって、編集作業を終えた利用者に対して、印刷待ち空間Ａ３への移動を案内する。印刷待ち空間Ａ３への移動の案内は、スピーカ３４１から音声を出力することによっても行われる。その後、図２１のステップＳ４に戻り、それ以降の処理が行われる。
【０２２３】
＜分割数選択画面の例＞
図２４は、分割数選択画面の表示例を示す図である。
【０２２４】
図２４に示すような分割数選択画面が、編集画面を用いた編集の後にタブレット内蔵モニタ１３１に表示される（図２２のステップＳ３８）。
【０２２５】
分割数選択画面の中央上方には分割数（レイアウト）の選択を促すメッセージが表示され、その下に、レイアウト選択タブ６０１とレイアウト選択タブ６０２が表示される。レイアウト選択タブ６０１とレイアウト選択タブ６０２は、レイアウトの種類の選択に用いられるタブであり、いずれかのタブを選択することに応じて、分割数選択画面の表示が切り替えられる。
【０２２６】
レイアウト選択タブ６０１は、おまけ領域１８１Ｂ付きのレイアウトである「最旬レイアウト」を選択するときに操作されるタブである。レイアウト選択タブ６０２は、おまけ領域１８１Ｂのないレイアウトである「その他レイアウト」を選択するときに操作されるタブである。
【０２２７】
この例においては２種類のタブが用意されているが、さらに多くのタブが用意されるようにしてもよい。図２４の例においては、レイアウト選択タブ６０１が選択されている。
【０２２８】
左側領域６０１Ｌと右側領域６０１Ｒの間には縦方向の破線が表示され、その破線に重ねて、１枚のシールシートを２つに分けることができることを表すメッセージと、それを表すアイコン６０３が表示される。
【０２２９】
図２５の左側に示すように、ゲームの終了時に提供される縦長長方形の１枚のシールシート３６３−１には水平にミシン目が入っており、そのミシン目で切り離すことによって、小分けシール３６３−１Ａと小分けシール３６３−１Ｂに分けることができるようになっている。
【０２３０】
小分けシール３６３−１Ａと小分けシール３６３−１Ｂにはそれぞれ、レイアウトの選択内容によっては、メイン領域１８１Ａとおまけ領域１８１Ｂのセットを印刷することが可能とされる。図９、図１６、図２０のシールシート１８１は、ミシン目で切り離した１枚分の小分けシールに相当することになる。図２４の分割数選択画面は、小分けシール３６３−１Ａと小分けシール３６３−１Ｂにそれぞれ印刷する画像のレイアウトを選択する画面となる。
【０２３１】
写真シール作成装置１の１回のゲームでは、このように小分けシールに分けることができるシールシートが２枚印刷され、利用者に提供される。なお、小分けシール３６３−１Ａの部分と小分けシール３６３−１Ｂの部分の間にはミシン目が入るが、メイン領域１８１Ａとおまけ領域１８１Ｂの間にはミシン目が入らない。メイン領域１８１Ａとおまけ領域１８１Ｂを分ける場合には上述したようにはさみなどで切り分ける必要がある。
【０２３２】
これにより、利用者が２人である場合、２人がそれぞれシールシートを１枚ずつ受け取ることができる。
【０２３３】
また、利用者が３人である場合、１枚のシールシートを１人が受け取り、もう１枚のシールシートを小分けシールに分けて、小分けシールを２人が１枚ずつ受け取るといった分け方が可能になる。利用者が４人である場合、２枚のシールシートをそれぞれ小分けシールに分けて、小分けシールを４人が１枚ずつ受け取るといった分け方が可能になる。
【０２３４】
図２４の説明に戻り、左側領域６０１Ｌの中央上方にはサンプル画像６１１Ｌが表示される。サンプル画像６１１Ｌは、その下の表示を用いて利用者により選択されたレイアウトで各画像を配置したときの小分けシールの部分のイメージを表す画像である。利用者の選択内容がサンプル画像６１１Ｌの表示にリアルタイムで反映される。
【０２３５】
サンプル画像６１１Ｌのうちのメイン領域１８１Ａに相当する部分の表示は、落書き反映画像を用いて行われ、おまけ領域１８１Ｂに相当する部分の表示は、落書き未反映画像を用いて行われるようにしてもよい。
【０２３６】
サンプル画像６１１Ｌの下には吹き出し６１２Ｌと吹き出し６１３Ｌが表示される。
【０２３７】
吹き出し６１２Ｌは、メイン領域１８１Ａのレイアウトの選択に用いられる領域であり、図２４の例においては、オススメ分割を選択するときに操作される選択画像６２１Ｌと、小分割を選択するときに操作される選択画像６２２Ｌが縦に並べて表示されている。
【０２３８】
選択画像６２１Ｌは、５種類の画像をオススメ分割のレイアウトで配置したメイン領域１８１Ａを表す画像であり、選択画像６２２Ｌは、５種類の画像を小分割のレイアウトで配置したメイン領域１８１Ａを表す画像である。選択画像６２１Ｌ，６２２Ｌの表示は、例えば、落書き反映画像を用いて行われる。
【０２３９】
オススメ分割は、図９等を参照して説明した、１枚の大きな画像を左側に配置し、その右側に、残りの４枚の画像をそれぞれ１箇所ずつ２行×２列に配置するレイアウトである。
【０２４０】
小分割は、全て同じ大きさの画像を上段に３枚、下段に４枚並べて配置するレイアウトである。小分割のレイアウトにおいては、５種類の画像とその中から選択された２種類の画像が複数箇所に配置されることになる。図２４の例においては小分割が選択されており、選択画像６２２Ｌの縁が強調表示されている。
【０２４１】
吹き出し６１３Ｌは、おまけ領域１８１Ｂのレイアウトの選択に用いられる領域であり、この領域の表示を用いて、カタチ画像が並ぶレイアウトと縦長長方形のおまけ画像が並ぶレイアウトのうちのいずれかを選択することが可能となる。
【０２４２】
吹き出し６１３Ｌには、縦長長方形のおまけ画像が並ぶレイアウトを選択するときに操作される選択画像６３１Ｌと、カタチ画像が並ぶレイアウトを選択するときに操作される選択画像６３２Ｌが縦に並べて表示されている。
【０２４３】
選択画像６３１Ｌは、縦長長方形のおまけ画像を配置したおまけ領域１８１Ｂを表す画像であり、選択画像６３２Ｌは、カタチ画像を配置したおまけ領域１８１Ｂを表す画像である。選択画像６３１Ｌ，６３２Ｌの表示は、例えば、落書き未反映画像を用いて行われる。
【０２４４】
図２４の例においては縦長長方形のおまけ画像が並ぶレイアウトが選択されており、選択画像６３１Ｌの縁が強調表示されている。
【０２４５】
吹き出し６１２Ｌの表示を用いてメイン領域１８１Ａのレイアウトとして小分割が選択され、吹き出し６１３Ｌの表示を用いておまけ領域１８１Ｂのレイアウトとして縦長長方形のおまけ画像が並ぶレイアウトが選択されることにより、サンプル画像６１１Ｌの表示は、それらの組み合わせを表す画像となる。
【０２４６】
一方、右側領域６０１Ｒにも左側領域６０１Ｌと同様の表示が用意される。
【０２４７】
図２４の例においては、吹き出し６１２Ｒの表示を用いて、メイン領域１８１Ａのレイアウトとしてオススメ分割が選択され、吹き出し６１３Ｒの表示を用いて、おまけ領域１８１Ｂのレイアウトとしてカタチ画像が並ぶレイアウトが選択されている。サンプル画像６１１Ｒの表示は、それらの組み合わせを表す画像となる。
【０２４８】
タブレット内蔵モニタ１３１に向かって左側にいる利用者は、左側領域６０１Ｌの表示を用いて、１枚目のシールシートのレイアウトを選択し、右側にいる利用者は、右側領域６０１Ｒの表示を用いて、２枚目のシールシートのレイアウトを選択することになる。
【０２４９】
左側領域６０１Ｌと右側領域６０１Ｒの下には、レイアウトの選択を終了するときに操作されるＯＫボタン６１４Ｌ，６１４Ｒがそれぞれ表示される。
【０２５０】
このように、利用者は、図２４の１つの画面において、メイン領域１８１Ａのレイアウトとおまけ領域１８１Ｂのレイアウトをそれぞれ選択することができる。メイン領域１８１Ａのレイアウトとおまけ領域１８１Ｂのレイアウトをそれぞれ異なる画面を用いて選択するとした場合、１枚のシールシート全体のレイアウトのイメージが分かりにくいが、１枚のシールシート全体のレイアウトを確認しながら、メイン領域１８１Ａとおまけ領域１８１Ｂのそれぞれのレイアウトを選択することが可能になる。
【０２５１】
以上においては、メイン領域１８１Ａに印刷されるカタチ画像の形状の組み合わせが１種類であるものとしたが、複数種類用意されており、その中から好みの形状の組み合わせを選択することができるようにしてもよい。
【０２５２】
図２６は、その他レイアウト選択時の分割数選択画面の表示例を示す図である。
【０２５３】
その他レイアウトを選択することにより、おまけ領域１８１Ｂのないレイアウトを選択することが可能になる。以下、左側領域６０２Ｌの表示について主に説明する。右側領域６０２Ｒの表示も左側領域６０２Ｌの表示と基本的に同様である。
【０２５４】
左側領域６０２Ｌには右側に寄せてサンプル画像６４１Ｌが表示される。サンプル画像６４１Ｌは、その下の表示を用いて利用者により選択されたレイアウトで各画像を配置したときの１枚のシールシートのイメージを表す画像である。利用者の選択内容がサンプル画像６４１Ｌの表示にリアルタイムで反映される。
【０２５５】
このように、最旬レイアウトを選択したときには１つの小分けシールのイメージを表すサンプル画像が表示されるのに対して、その他レイアウトを選択したときには１枚のシールシート全体のイメージを表すサンプル画像が表示される。
【０２５６】
サンプル画像６４１Ｌの下には吹き出し６４２Ｌが表示される。
【０２５７】
吹き出し６４２Ｌは、１枚のシールシート全体のレイアウトの選択に用いられる領域であり、図２６の例においては、それぞれ異なるレイアウトを表す選択画像６５１Ｌ乃至６５４Ｌが横に並べて表示される。
【０２５８】
選択画像６５１Ｌは、オススメ分割のレイアウトを選択するときに操作される画像であり、選択画像６５２Ｌは、小分割のレイアウトを選択するときに操作される画像である。選択画像６５３Ｌは、大分割のレイアウトを選択するときに操作される画像であり、選択画像６５４Ｌは、記念日分割のレイアウトを選択するときに操作される画像である。
【０２５９】
サンプル画像６４１Ｌと選択画像６５１Ｌ乃至６５４Ｌの表示は、落書き反映画像を用いて行われる。
【０２６０】
図２６のオススメ分割は、小分けシール部分のそれぞれに、１枚の大きな画像を左側に配置し、その右側に、残りの４枚の画像をそれぞれ１箇所ずつ２行×２列に配置するレイアウトである。
【０２６１】
小分割は、１枚のシールシート全体に、同じ大きさの画像を３行×５列に配置するレイアウトである。上段、中段、下段にはそれぞれ１〜５枚目の画像が配置される。
【０２６２】
大分割は、１枚のシールシート全体に、同じ大きさの画像を上下２段に配置するレイアウトである。上段には２枚の画像が配置され、下段には３枚の画像が配置される。
【０２６３】
記念日分割は、１枚のシールシート全体に、１枚の大きな画像を中央上方に配置し、その下に、残りの４枚の画像を小さく横に並べて配置するレイアウトである。
【０２６４】
図２６の例においてはオススメ分割が選択されており、選択画像６５１Ｌの縁が強調表示されている。また、サンプル画像６４１Ｌとして、５種類の画像をオススメ分割のレイアウトでそれぞれの小分けシールの部分に配置したイメージを表す画像が表示されている。
【０２６５】
このように、利用者は、その他レイアウトを選択することにより、おまけ領域１８１Ｂのない４種類のレイアウトの中から好みのレイアウトを選択することが可能になる。
【０２６６】
特に、オススメ分割は、小分けシールに分けたときに、それぞれの小分けシールに同じ画像が印刷されるレイアウトであるから、利用者の人数が３人以上である場合に使いやすいレイアウトとなる。
【０２６７】
例えば、利用者が３人である場合、左側領域６０２Ｌにおいてオススメ分割を選択し、右側領域６０２Ｒにおいてそれ以外のレイアウトを選択することにより、２枚のシールシートを３人で分けることが可能になる。また、利用者が４人である場合、左側領域６０２Ｌと右側領域６０２Ｒのそれぞれにおいてオススメ分割を選択することにより、２枚のシールシートを小分けシールに切り離して４人で分けることが可能になる。オススメ分割のレイアウトを選択するときに操作される選択画像６５１Ｌの上には、そのことを表す「３人４人にオススメ」の文字が表示されている。
【０２６８】
以上のように、利用者は、２人で分ける用のレイアウトを左右のそれぞれの表示を用いて選択することができるし、１人用のレイアウトを左右のそれぞれの表示を用いて選択することもできる。すなわち、４人までであれば、人数に関わらずに分けやすいレイアウトを自由度の高い形で選択することができる。レイアウトを自由に選択することができるようにすることにより、利用者の満足度を高めることが可能になる。
【０２６９】
＜シールシートの例＞
図２７は、２枚のシールシートの組み合わせの例を示す図である。
【０２７０】
左側のシールシート３６３−１と右側のシールシート３６３−２は１回のゲームで得られるシールシートである。図２７の例においては、おまけ領域１８１Ｂがある最旬レイアウトが選択されたものとされている。
【０２７１】
例えば図２７のシールシート３６３−１に示すように、最旬レイアウトでの印刷は、小分けシール３６３−１Ａのおまけ領域１８１Ｂの部分と、小分けシール３６３−１Ｂのおまけ領域１８１Ｂの部分が、ミシン目を挟んで隣接する向きで行われる。
【０２７２】
すなわち、図２７の向きを基準にすると、小分けシール３６３−１Ａには、分割数選択画面を用いて選択された最旬レイアウトで配置された画像が上向きで印刷され、小分けシール３６３−１Ｂには、分割数選択画面を用いて選択された最旬レイアウトで配置された画像が下向きで印刷される。
【０２７３】
これにより、想定する位置からずれた位置にミシン目が入った場合であっても、小分けシールに分けたときに、シールシート３６３−１のより重要な部分といえるメイン領域１８１Ａの部分が切れてしまうといったことを防ぐことが可能になる。利用者は、小分けシールをさらにメイン領域１８１Ａの部分とおまけ領域１８１Ｂの部分に切り分けることにより、形の整ったメイン領域１８１Ａの部分のシールを得ることができる。ミシン目は予め入れられているが、各画像の印刷位置の精度にはばらつきがあり、想定する位置と異なる位置にミシン目が入ることがある。
【０２７４】
また、おまけ領域１８１Ｂに印刷されるおまけ画像は、メイン領域１８１Ａに寄せた位置に並べて印刷されるため、想定する位置からずれた位置にミシン目が入った場合であっても、小分けシールに分けたときに、おまけ画像が切れてしまうといったことを防ぐことが可能になる。
【０２７５】
図２７のシールシート３６３−１においては、ミシン目を挟んで隣接する小分けシール３６３−１Ａのおまけ領域１８１Ｂと小分けシール３６３−１Ｂのおまけ領域１８１Ｂには、それぞれカタチ画像が印刷されている。一方、シールシート３６３−２においては、小分けシール３６３−２Ａのおまけ領域１８１Ｂにはカタチ画像が印刷され、小分けシール３６３−２Ｂのおまけ領域１８１Ｂには縦長長方形のおまけ画像が印刷されている。
【０２７６】
このように、１枚のシールシートの２つのおまけ領域１８１Ｂにそれぞれカタチ画像と縦長長方形のおまけ画像を印刷するレイアウトを選択することができるようにしてもよい。
【０２７７】
図２８は、その他レイアウトが選択された場合の２枚のシールシートの組み合わせの例を示す図である。
【０２７８】
図２８の例においては、シールシート３６３−１の小分けシール３６３−１Ａの部分と小分けシール３６３−１Ｂの部分には、それぞれ、オススメ分割のレイアウトで配置された画像が印刷されている。また、シールシート３６３−２には、その全体に、記念日分割のレイアウトで配置された画像が印刷されている。
【０２７９】
シールシート３６３−１を小分けシール３６３−１Ａの部分と小分けシール３６３−１Ｂの部分に分けることにより、シールシート３６３−２を受け取る１人だけ大きさが違うが、写真シール作成装置１を３人で利用した場合にシールシートを容易に分けることができる。なお、その他レイアウトでの印刷は、小分けシール３６３−１Ａの部分と小分けシール３６３−１Ｂの部分に、同じ向きの画像を配置するようにして行われる。
【０２８０】
分割数選択画面において選択可能なレイアウトは、上述したものに限られるものではない。利用者の人数に関わらずに分けることが可能な各種のレイアウトを用意することが可能である。
【０２８１】
＜おまけ画像の変形例＞
図２９は、シールシートに印刷された画像の他の例を示す図である。
【０２８２】
図２９に示すシールシート１８１は、略正方形のシールシートである。シールシート１８１の略上半分にはメイン領域１８１Ａが形成され、その下に、おまけ領域１８１Ｂとおまけ領域１８１Ｃが形成される。この例においては、おまけ画像が印刷される領域が２つ形成される。メイン領域１８１Ａには、図１６を参照して説明したように落書き反映画像が印刷される。
【０２８３】
おまけ領域１８１Ｂとおまけ領域１８１Ｃには、それぞれ、真円形状のフレーム画像が合成された、同じ５種類のおまけ画像１８１Ｂ−１乃至１８１Ｂ−５，１８１Ｃ−１乃至１８１Ｃ−５が印刷されている。おまけ領域１８１Ｂに印刷されているおまけ画像１８１Ｂ−１乃至１８１Ｂ−５とおまけ領域１８１Ｃに印刷されているおまけ画像１８１Ｃ−１乃至１８１Ｃ−５はそれぞれ同じ画像である。
【０２８４】
おまけ画像１８１Ｂ−１乃至１８１Ｂ−５，１８１Ｃ−１乃至１８１Ｃ−５を構成する円形のフレーム画像のうち、下半分は、図２０等を参照して説明したカタチ画像のフレーム画像と同様に人物画像の前景に配置されているが、上半分は、人物画像の背景に配置されている。
【０２８５】
このように、人物が飛び出して見えるおまけ画像が印刷されるようにしてもよい。図２９に示すようなおまけ画像については、例えば、本出願人による特願２０１６−１０３９１６号に開示されている。
【０２８６】
図２９のおまけ画像は、カタチ画像と同様に、所定の形状のフレーム画像が前景に配置される画像であるし、メイン領域１８１Ａに印刷された落書き反映画像と比べて小さいため、落書き処理の内容を反映させたとしても、利用者がせっかく入力した落書きが見えなくなる。図２９のおまけ画像も、落書き未反映画像を用いて生成される。
【０２８７】
図３０は、図２９に示すようなレイアウトの選択に用いられる分割数選択画面の例を示す図である。
【０２８８】
分割数選択画面の上方にはレイアウト選択タブ７０１乃至７０５が表示される。レイアウト選択タブ７０１乃至７０５は、レイアウトの種類の選択に用いられるタブであり、いずれかのタブを選択することに応じて、分割数選択画面の表示が切り替えられる。
【０２８９】
図３０の例においては、「ポケットプリ」の名前が設定されたレイアウト選択タブ７０１が選択されている。「ポケットプリ」のレイアウトは、おまけ領域１８１Ｂ，１８１Ｃ付きのレイアウトである。「ポケットプリ」は、１人分のメイン領域１８１Ａのサイズを名刺サイズに仕上げたレイアウトである。「ポケットプリ」のレイアウトで印刷したシール紙からメイン領域１８１Ａの部分を切り離すことによって、市販のカードファイル等に収納することが可能となる。シール紙をきれいに整理した状態で保管できることで、"シールを集めて振り返る"楽しみを利用者に提案することができる。
【０２９０】
左側領域７０１Ｌの中央上方の吹き出し７１１Ｌが表示される。吹き出し７１１Ｌは、メイン領域１８１Ａのデザインの選択に用いられる領域である。図３０の例においては、４種類のデザインを表す選択画像７２１Ｌ乃至７２４Ｌが表示されている。選択画像７２１Ｌ乃至７２４Ｌの表示は、例えば、落書き反映画像を用いて行われる。
【０２９１】
図３１は、メイン領域１８１Ａのデザインの例を示す図である。
【０２９２】
デザイン７５１乃至７５４は、それぞれ、編集画像の配置領域となる矩形状の領域が複数配置されるとともに、それ以外の領域に、所定の柄や色が付されたデザインを表す。矩形状の領域に示されるように、デザイン毎に、背景画像が予め設定されている。
【０２９３】
図３０の選択画像７２１Ｌはデザイン７５１を選択するときに操作される画像であり、選択画像７２２Ｌはデザイン７５２を選択するときに操作される画像である。選択画像７２３Ｌはデザイン７５３を選択するときに操作される画像であり、選択画像７２４Ｌはデザイン７５４を選択するときに操作される画像である。
【０２９４】
図３０の吹き出し７１１Ｌの下には吹き出し７１２Ｌが表示される。
【０２９５】
吹き出し７１２Ｌは、おまけ領域１８１Ｂ，１８１Ｃのレイアウトの選択に用いられる領域である。吹き出し７１２Ｌの表示を用いて、図３０を参照して説明したような、人物が飛び出して見えるおまけ画像が並ぶレイアウトと縦長長方形のおまけ画像が並ぶレイアウトのうちのいずれかを選択することが可能となる。
【０２９６】
吹き出し７１２Ｌには、人物が飛び出して見えるおまけ画像が並ぶレイアウトを選択するときに操作される選択画像７３１Ｌと、縦長長方形のおまけ画像が並ぶレイアウトを選択するときに操作される選択画像７３２Ｌが並べて表示されている。
【０２９７】
以上のような左側領域６０１Ｌの表示と同様の表示がと同様の表示が右側領域６０１Ｒにも用意される。
【０２９８】
このような分割数選択画面を用いて、図２９に示すようなレイアウトが選択されるようにしてもよい。
【０２９９】
なお、レイアウト選択タブ７０２乃至７０５を用いて選択される他のレイアウトは、おまけ領域１８１Ｂ，１８１Ｃのないレイアウトである。
【０３００】
おまけ画像に用いられる落書き未反映画像は、上述したように、レタッチ処理とメイク処理が反映された編集画像である。メイク処理は、顔に対して施す画像処理であるため、この画像処理まで未反映とすると、画像としての完成度が低下する虞があるためである。
【０３０１】
人物の周りなどの所定の位置に影を表す画像を付加する画像処理が行われる場合、その画像処理の内容が、落書き未反映画像に反映されるようにしてもよい。
【０３０２】
分割数選択画面のサンプル画像や選択画像の表示に落書き未反映画像を用いるものとしたが、メイク処理や影を付加する処理などについても未反映とした画像が用いられるようにしてもよい。
【０３０３】
おまけ画像の背景画像として、メイン領域１８１Ａに印刷される落書き反映画像に用いられる背景画像と異なる、統一色の背景画像が用いられるようにしてもよい。統一色の背景画像を用いたおまけ画像を並べて印刷することにより、おまけ領域の見栄えをよくすることができる。おまけ画像の背景画像の色はデザインに応じて設定される。デザインに合う色を背景画像の色として設定しておくことにより、シールシート全体の完成度を向上させることが可能になる。
【０３０４】
＜＜実施例２＞＞
シールシートにおける印刷の態様として、または、分割数選択画面におけるシールシートのサンプル画像の表示の態様として、以下の態様を採用することが可能である。
【０３０５】
＜実施例２−１＞
図３２は、シールシートに印刷された画像の例を示す図である。
【０３０６】
図３２に示すレイアウトは、おまけ画像印刷領域がないレイアウトである。小分けシール３６３−１Ａの部分には画像８０１−１乃至８０１−６が配置され、小分けシール３６３−１Ｂの部分には画像８０２−１乃至８０２−６が配置される。
【０３０７】
画像８０１−１乃至８０１−６は落書き反映画像であり、画像８０２−１乃至８０２−６は落書き未反映画像である。小分けシール３６３−１Ａに配置される画像８０１−１乃至８０１−６と、小分けシール３６３−１Ｂに配置される画像８０２−１乃至８０２−６は、それぞれ、同じ６枚の撮影画像を元にして生成された画像である。
【０３０８】
１枚のシールシート３６３−１において、小分けシール３６３−１Ａの部分が、落書きが反映される部分となり、小分けシール３６３−１Ｂの部分が、落書きが未反映の部分となる。
【０３０９】
このように、落書きが反映される部分と落書きが未反映の部分を同じ大きさの領域とし、落書き反映画像と落書き未反映画像が同じ大きさで印刷されるようにしてもよい。これにより、落書きが施された画像と施されていない画像を比べやすいシールシートを提供することが可能になる。
【０３１０】
＜実施例２−２＞
図３３は、シールシートに印刷された画像の例を示す図である。
【０３１１】
図３３に示すレイアウトは、６枚の編集画像が、横方向の長さを同じ長さとしてほぼ同じ大きさで３行×２列に並べて印刷されるレイアウトである。画像８１１−２乃至８１１−４は、アップ画像を元にして生成された落書き反映画像である。画像８１１−５，８１１−６は、コーディネート画像を元にして生成された落書き未反映画像である。なお、左上の画像８１１−１は、落書きを未反映とした画像８１１−４にフィルタ処理を施し、色味を変えた画像である。
【０３１２】
１枚のシールシート３６３−１において、一点鎖線で囲んで示す画像８１１−２乃至８１１−４の部分が、落書きが反映される部分となり、二点鎖線で囲んで示す画像８１１−１，８１１−５，８１１−６の部分が、落書きが未反映の部分となる。
【０３１３】
以上の例においては、５枚の撮影画像のそれぞれに基づいて２枚ずつ編集画像（落書き反映画像と落書き未反映画像）を生成し、印刷するものとしたが、１枚の撮影画像に基づいて生成した２枚の編集画像だけが印刷されるといったように、２枚の編集画像の生成に用いる撮影画像の数は任意である。
【０３１４】
＜実施例２−３＞
図３４は、画像選択画面の例を示す図である。
【０３１５】
分割数選択画面には、記念日分割のように１枚の画像を大きく配置するレイアウトが用意される。図３４に示す画像選択画面は、大きく配置する画像の選択に用いられる画面であり、例えば、１枚の画像を大きく配置するレイアウトを選択したときに図２４に示す画面に代えてタブレット内蔵モニタ１３１に表示される。
【０３１６】
左側に示すサンプル画像８２１は、利用者により選択された記念日分割のレイアウトで各画像を配置したときのシールシートのイメージを表す画像である。サンプル画像８２１において、中央に大きく配置された画像８３１−１には落書きが施され、その下に並ぶ残りの４枚の画像８３１−２乃至８３１−５には落書きが施されていない。
【０３１７】
サンプル画像８２１の右方には選択領域８２２が形成される。選択領域８２２には、５枚の撮影画像のサムネイル画像が表示されており、サムネイル画像を押下することによって、大きく配置する画像を選択することができる。
【０３１８】
選択領域８２２の表示を用いて大きく配置する画像が選択された場合、サンプル画像８２１の表示も変更される。サンプル画像８２１においては、選択された１枚の画像が、落書きが施された状態で大きく表示され、他の４枚の画像が、落書きが施されていない状態で小さく表示される。
【０３１９】
大きく配置する画像が選択された場合、選択された１枚の画像が大きく配置されたレイアウトで各編集画像が印刷される。このように、大きく配置する画像だけが、落書きが施された状態でシールシートに印刷されるようにしてもよい。
【０３２０】
＜実施例２−４＞
上記実施例２−３とは反対に、大きく配置する１枚の画像だけが落書きが施されていない状態で印刷され、残りの４枚の画像が落書きが施された状態で印刷されるようにしてもよい。
【０３２１】
図３５は、画像選択画面の例を示す図である。図３５のサンプル画像８２１においては、選択された１枚の画像８３１−１が、落書きが施されていない状態で大きく表示され、他の４枚の画像８３１−２乃至８３１−５が、落書きが施された状態で小さく表示される。
【０３２２】
大きく配置された画像が落書きが施されていない状態で印刷されるため、人物の写りの良さを確認しやすいシールシートを提供することが可能になる。
【０３２３】
＜実施例２−５＞
サイズの異なる画像が配置されるレイアウトが選択された場合、所定の大きさより大きい画像については落書きを施した状態で印刷（落書き反映画像を印刷）し、小さい画像については落書きを施していない状態で印刷（落書き未反映画像を印刷）するようにしてもよい。画像の大きさに応じて、反映させる落書きの量を変えるようにしてもよい。
【０３２４】
＜実施例２−６＞
サイズの異なる画像が配置されるレイアウトが選択された場合、上記実施例２−５とは反対に、所定の大きさより小さい画像については落書きを施した状態で印刷し、大きい画像については落書きを施していない状態で印刷するようにしてもよい。
【０３２５】
＜実施例２−７＞
図３６は、シールシートに印刷された画像の例を示す図である。
【０３２６】
図３６に示すレイアウトは、６枚の画像８４１−１乃至８４１−６がほぼ同じ大きさで２行×３列に並べて印刷されるレイアウトである。画像８４１−２乃至８４１−４は、アップ画像を元にして生成された落書き反映画像であり、画像８４１−５，８４１−６は、コーディネート画像を元にして生成された落書き反映画像である。
【０３２７】
左上の画像８４１−１は、落書きが施されていない画像８４１−４にフィルタ処理を施すことによって、色味を変えた画像である。フィルタ処理を施して編集した画像は、それ自体で見栄えがよく、落書きを施す必要性があまりない画像ともいえるものであるため、このように、落書きが反映されないようにしてもよい。
【０３２８】
＜実施例２−８＞
上記実施例２−７とは反対に、フィルタ処理を施して得られた画像８４１−１を、落書きを施した状態で印刷し、他の画像を、落書きを施した状態で印刷するようにしてもよい。
【０３２９】
フィルタ処理を施して得られた画像は、色味が変わっている画像であって、人物の写りの良さを確認しづらい画像といえる。このように、人物の写りの良さを確認することができない画像については、落書きを施した状態で印刷するようにしてもよい。
【０３３０】
＜実施例２−９＞
図３７は、シールシートに印刷された画像の例を示す図である。
【０３３１】
図３７に示すレイアウトは、コラージュ画像が印刷されるレイアウトである。コラージュ画像は、各種のデザインが施されたテンプレート画像の予め決められた位置に複数枚の画像を配置することによって構成される画像である。
【０３３２】
図３７の例においては、左側の小分けシール３６３−１Ａの部分の略上半分にはコラージュ画像８５２Ａが印刷され、下半分には、５枚の落書き未反映画像８５１Ａが印刷される。コラージュ画像８５２Ａは、落書き反映画像を配置することによって構成される。右側の小分けシール３６３−１Ｂの部分にも、５枚の落書き未反映画像８５１Ｂと、落書き反映画像を配置することによって構成されたコラージュ画像８５２Ｂが印刷される。
【０３３３】
このように、落書きが施された画像を用いてコラージュ画像を生成することにより、コラージュ画像のデザイン性を高めることができる。
【０３３４】
＜実施例２−１０＞
上記実施例２−９とは反対に、コラージュ画像を構成する編集画像を落書きが施されていない画像としてもよい。コラージュ画像は、それ自体がデザイン性の高い画像であるため、落書きを施した画像を用いないでも見栄えがよい画像ともいえる。
【０３３５】
＜実施例２−１１＞
図３８は、シールシートに印刷された画像の例を示す図である。
【０３３６】
アップ画像を元にして生成した画像については、落書きが施された状態で印刷し、コーディネート画像を元にして生成した画像については、落書きが施されていない状態で印刷するといったように、落書きを反映させるか未反映とするかを、画角に応じて選択するようにしてもよい。
【０３３７】
図３８に示すレイアウトは、図３３を参照して説明したレイアウトと同じレイアウトである。アップ画像を元にして生成された画像８１１−１乃至８１１−４は落書き反映画像であり、コーディネート画像を元にして生成された画像８１１−５，８１１−６は落書き未反映画像である。
【０３３８】
アップ画像とコーディネート画像といったように画角の異なる画像の撮影が行われる場合、コーディネート画像は服のコーディネートを残しておくという意図で撮影を行うものであるから、落書きは未反映でもよい。
【０３３９】
＜実施例２−１２＞
上記実施例２−１１とは反対に、図３９に示すように、アップ画像を元にして生成した画像については、落書きが施されていない状態で印刷し、コーディネート画像を元にして生成した画像については、落書きが施された状態で印刷するようにしてもよい。
【０３４０】
アップ画像は顔が大きく写るものであるから、落書きが未反映とすることにより、顔の写りの良さを確認できるシールシートを提供することが可能になる。
【０３４１】
＜実施例２−１３＞
撮影時、既に撮影された画像の中から所定の画像を選択して撮影の撮り直しを行う機能が写真シール作成装置１に用意されている場合、撮り直し機能によって撮影された画像については、落書きが施された状態で印刷され、撮り直しではなく、通常の撮影によって得られた画像については、落書きが施されない状態で印刷されるようにしてもよい。
【０３４２】
撮り直し機能によって撮影された画像は、画像としての価値が通常の撮影によって得られた画像よりも高いと考えられるため、そのような画像については落書きを施した状態で印刷することにより、利用者を満足させることが可能になる。
【０３４３】
＜実施例２−１４＞
上記実施例２−１３とは反対に、撮り直し機能によって撮影された画像については、落書きが施されていない状態で印刷され、通常の撮影によって得られた画像については、落書きが施された状態で印刷されるようにしてもよい。
【０３４４】
＜実施例２−１５＞
おまけ画像を印刷するレイアウトが用意されている場合、おまけ画像ではない通常画像とおまけ画像のうち、いずれの画像を落書きを施した状態で印刷するのかを利用者に選択させるようにしてもよい。
【０３４５】
通常画像とおまけ画像のうちのいずれか一方だけを、落書きを施した状態で印刷するものとして選択できるようにしてもよいし、両方を、落書きを施した状態で印刷するものとして選択できるようにしてもよい。
【０３４６】
＜＜実施例３＞＞
落書きの反映／未反映の態様として、以下の態様を採用することが可能である。
【０３４７】
＜実施例３−１＞
落書き未反映画像において、落書き処理によって入力された全ての合成用画像を未反映とするものとしたが、顏の部分や顔の周りの部分に入力された合成用画像については反映させ、それ以外の位置に入力された合成用画像については未反映とするといったように、反映／未反映とする合成用画像が入力位置に応じて選択されるようにしてもよい。
【０３４８】
例えば、撮影画像に写る利用者の顔の位置を認識し、顔の近傍に猫の耳型の画像を合成用画像として入力するような落書きツールが用意されている場合、その落書きツールを用いて入力された猫の耳型の合成用画像については、落書き未反映画像に反映され、それ以外の位置に入力された合成用画像については未反映としてもよい。
【０３４９】
＜実施例３−２＞
上記実施例３−１とは反対に、顏の部分や顔の周りの部分に入力された合成用画像については未反映とし、それ以外の位置に入力された合成用画像については反映させるようにしてもよい。
【０３５０】
＜実施例３−３＞
上述したフィルタ処理によって加工を施した画像については落書きが施された状態で印刷され、それ以外の画像については落書きが施された状態で印刷されるようにしてもよい。
【０３５１】
＜＜実施例４＞＞
落書きの出力の態様として、以下の態様を採用することが可能である。
【０３５２】
＜実施例４−１＞
編集画像の出力先には、シールシートと携帯端末の画面との２つがある。利用者は、携帯端末を操作して画像取得サイトにアクセスすることにより、編集画像を携帯端末の画面上で見ることができる。出力先に応じて、落書きの反映／未反映が切り替えられるようにしてもよい。
【０３５３】
例えば、落書きが反映された状態でシールシートに印刷された画像については、携帯端末の画面上では落書きが未反映の状態で表示されるようにしてもよい。反対に、落書きが未反映の状態でシールシートに印刷された画像については、携帯端末の画面上では落書きが反映された状態で表示されるようにしてもよい。
【０３５４】
図４０は、携帯端末の画面表示の例を示す図である。
【０３５５】
図４０の例においては、携帯端末のディスプレイ９０１には、写真シール作成装置１を利用することによって生成された画像９１１−１乃至９１１−３が表示されている。また、画像９１１−１は落書きが未反映の状態で表示され、画像９１１−２と画像９１１−３は落書きが反映された状態で表示されている。
【０３５６】
すなわち、図４０は、画像９１１−１については、落書きが反映された状態でシールシートに印刷され、画像９１１−２と画像９１１−３については、落書きが未反映の状態でシールシートに印刷された場合の例を示している。
【０３５７】
＜実施例４−２＞
画像取得サイトにアクセスした場合、携帯端末には、写真シール作成装置１からアップロードされた画像を表す複数のサムネイル画像が表示される。落書きを反映させるか否かの上述した各種の態様を、サムネイル画像の表示に適用させることが可能である。
【０３５８】
複数のサムネイル画像を表示する場合において、落書きが未反映の画像を表すサムネイル画像を、落書きが反映された画像を表すサムネイル画像より多く表示させるようにしてもよい。
【０３５９】
落書きが未反映の画像を表すサムネイル画像を多く表示させることによって、落書きが未反映の画像の選択が容易となる。利用者は、選択した画像の落書きを、携帯端末にインストールされた画像加工アプリを用いて携帯端末上で行うことができる。
【０３６０】
＜実施例４−３＞
例えば、１回のゲームにおいて４枚のアップ画像と２枚のコーディネート画像の合わせて６枚の撮影画像が生成される場合、シールシート上では、４枚の画像が落書きが施された状態で印刷され、残りの２枚の画像が落書きが未反映の状態で印刷されるのに対して、携帯端末の画面上では、３枚の画像が落書きが施された状態で表示され、残りの３枚の画像が落書きが未反映の状態で表示されるようにしてもよい。
【０３６１】
＜実施例４−４＞
図４１は、携帯端末の画面表示の他の例を示す図である。
【０３６２】
図４１に示すように、画面に表示されたサムネイル画像を押下したときに、押下した画像が拡大表示される場合、サムネイル画像の表示においては、落書きが未反映の状態で表示され、拡大表示においては、落書きが反映された状態で表示されるようにしてもよい。
【０３６３】
図４１の左側に示す６枚のサムネイル画像は、落書きが未反映の画像を用いて表示されている。例えば左上のサムネイル画像が選択された場合、図４１の矢印の先に示すように、画面には、落書きが反映された画像が表示される。
【０３６４】
サムネイル画像の表示においては、落書きが反映された状態で表示され、拡大表示においては、落書きが未反映の状態で表示されるようにしてもよい。
【０３６５】
＜＜その他の例＞＞
メイン領域１８１Ａには落書き反映画像が印刷され、おまけ領域１８１Ｂには、編集処理のうち、落書き処理だけが未反映のおまけ画像が印刷されるものとしたが、レタッチ処理やメイク処理などの、落書き処理以外の編集処理についても未反映の画像がおまけ画像として印刷されるようにしてもよい。すなわち、おまけ領域１８１Ｂに印刷されるおまけ画像を、撮影画像とすることが可能である。
【０３６６】
この場合、１枚のシールシートには、複数枚の落書き反映画像と、その落書き反映画像の生成の元になった撮影画像が混在して印刷される。おまけ画像としておまけ領域１８１Ｂに印刷される撮影画像は、図１６等を参照して説明したおまけ画像と同様に、メイン領域１８１Ａに印刷される落書き反映画像より小さいサイズの画像であって、縦長長方形または各種の形状（カタチ画像）の画像とされる。
【０３６７】
また、メイン領域１８１Ａに印刷される編集画像が、全ての編集処理の内容が反映された落書き反映画像であるものとしたが、編集処理のうち、落書き処理だけを未反映とした画像が印刷されるようにしてもよい。すなわち、メイン領域１８１Ａに印刷される編集画像を、落書き未反映画像とすることが可能である。
【０３６８】
この場合、１枚のシールシートには、複数枚の落書き未反映画像と、その落書き未反映画像の生成の元になった撮影画像が混在して印刷される。
【０３６９】
落書き未反映画像をおまけ領域１８１Ｂに印刷し、落書き反映画像または撮影画像をメイン領域１８１Ａに印刷することも可能である。
【０３７０】
また、以上においては、落書き反映画像と落書き未反映画像、落書き反映画像と撮影画像、落書き未反映画像と撮影画像の２種類の画像が１枚のシールシートに印刷されるものとしたが、３種類の画像が印刷されるようにしてもよい。
【０３７１】
例えば、メイン領域１８１Ａに複数枚の落書き反映画像を印刷し、２箇所設けられるおまけ領域１８１Ｂのうちの一方に複数枚の落書き未反映画像を印刷し、他方に複数枚の撮影画像を印刷することも可能である。どの種類の画像をどの領域に印刷するのかは適宜変更可能である。
【０３７２】
撮影画像に対して施される画像処理として、例えば、背景画像の合成処理、レタッチ処理、落書き処理、メイク処理などがあるが、どの画像処理の内容を反映させ、また、未反映とするかの組み合わせは任意である。すなわち、同じ撮影画像を元にして生成された編集画像であれば、どのような組み合わせの画像処理を施して得られた編集画像をメイン領域１８１Ａとおまけ領域１８１Ｂにそれぞれ印刷させるようにしてもよい。
【０３７３】
以上においては、編集空間Ａ２にいる利用者による操作に応じて撮影画像に施される画像処理を編集処理とし、編集処理には、例えば、落書き処理、レタッチ処理、メイク処理が含まれるものとしたが、撮影画像に施す他の画像処理を編集処理に含めることも可能である。例えば、撮影画像にフィルタ処理を施して顔の器官を強調したりするいわゆる盛る画像処理を編集画面において選択し、行わせることができる場合、そのフィルタ処理をも編集処理に含めることが可能である。
【０３７４】
このように、本技術の実施の形態は、上述した実施の形態に限定されるものではなく、本技術の要旨を逸脱しない範囲において種々の変更が可能である。
【符号の説明】
【０３７５】
１  写真シール作成装置，  ９１  カメラ，  ９２  タッチパネルモニタ，  １３１  タブレット内蔵モニタ，  ４０２  撮影処理部，  ４０３  編集処理部，  ４１１  撮影制御部，  ４３１  撮影画像取得部，  ４３２  編集制御部，  ４３３  表示制御部，  ４３４  印刷データ生成部，  ４３５  通信制御部
【図１】
2018125751.tif 000003
【図２】
2018125751.tif 000004
【図３】
2018125751.tif 000005
【図４】
2018125751.tif 000006
【図５】
2018125751.tif 000007
【図６】
2018125751.tif 000008
【図７】
2018125751.tif 000009
【図８】
2018125751.tif 000010
【図９】
2018125751.tif 000011
【図１０】
2018125751.tif 000012
【図１１】
2018125751.tif 000013
【図１２】
2018125751.tif 000014
【図１３】
2018125751.tif 000015
【図１４】
2018125751.tif 000016
【図１５】
2018125751.tif 000017
【図１６】
2018125751.tif 000018
【図１７】
2018125751.tif 000019
【図１８】
2018125751.tif 000020
【図１９】
2018125751.tif 000021
【図２０】
2018125751.tif 000022
【図２１】
2018125751.tif 000023
【図２２】
2018125751.tif 000024
【図２３】
2018125751.tif 000025
【図２４】
2018125751.tif 000026
【図２５】
2018125751.tif 000027
【図２６】
2018125751.tif 000028
【図２７】
2018125751.tif 000029
【図２８】
2018125751.tif 000030
【図２９】
2018125751.tif 000031
【図３０】
2018125751.tif 000032
【図３１】
2018125751.tif 000033
【図３２】
2018125751.tif 000034
【図３３】
2018125751.tif 000035
【図３４】
2018125751.tif 000036
【図３５】
2018125751.tif 000037
【図３６】
2018125751.tif 000038
【図３７】
2018125751.tif 000039
【図３８】
2018125751.tif 000040
【図３９】
2018125751.tif 000041
【図４０】
2018125751.tif 000042
【図４１】
2018125751.tif 000043